(57)【要約】      （修正有）【課題】サンプル採取を補助する効率的な吸引用途を有しつつ、容易に使用できるように構成された全体を使い捨てにできる生検デバイスを提供する。【解決手段】生検デバイスは、ハウジング本体とカニューレアセンブリとを備える。カニューレアセンブリは、第１の細長いカニューレと、同軸の第２の細長いカニューレと、を有する。第２の細長いカニューレは、側壁と内腔とを有し、側壁は、内腔と流体連通する吸引側面ポートを有する。ハウジング本体内に位置決めた真空源は、チャンバ側壁と、チャンバ吸引ポートと、を有する。シール部が、チャンバ吸引ポートと第２の細長いカニューレとの間に密封係合状態で介在する。トリガ摺動アセンブリが、真空源から第２の細長いカニューレの内項に真空を供給するために、第２の細長いカニューレを移動させて、第２の細長いカニューレの吸引側面ポートを真空源のチャンバ吸引ポートと整合させるように構成される。【選択図】図１
2018153673.tif 000002
【特許請求の範囲】
【請求項１】
生検デバイスであって、
長手方向軸線を形成するハウジング本体と、
第１の細長いカニューレと第２の細長いカニューレとを有するカニューレアセンブリと
を備え、
前記第１の細長いカニューレは、第１の側壁を有し、
前記第１の側壁は、第１の内腔と、前記第１の側壁を通って延在する細長い側面開口と、を形成するように構成され、
前記第２の細長いカニューレは、
前記第１の細長いカニューレと同軸であり、
第２の内腔と切断縁部とを形成するように構成された第２の側壁を有し、
前記第２の側壁は、前記第２の内腔と流体連通する吸引側面ポートを有し、
前記生検デバイスは、さらに、前記ハウジング本体内に位置決めされる真空源を備え、
前記真空源は、
チャンバ吸引ポートを有するチャンバ側壁を有し、
前記チャンバ吸引ポートと前記第２の細長いカニューレとの間に密封係合状態で介在するシール部を有し、
前記生検デバイスは、さらに、前記ハウジング本体に連結されるとともに前記カニューレアセンブリに連結されるトリガ摺動アセンブリを備え、
前記トリガ摺動アセンブリは、前記真空源から前記第２の細長いカニューレの前記第２の内腔まで真空を供給するために前記第２の細長いカニューレの前記吸引側面ポートを前記真空源の前記チャンバ吸引ポートと整合させるために、第２の細長いカニューレを移動させるように構成される
生検デバイス。
【請求項２】
請求項１に記載の生検デバイスであって、
前記真空源は、チャンバ開放端とチャンバ端部壁とチャンバ側壁とを有する真空チャンバハウジングを備え、
前記チャンバ側壁は、断面がＵ字状の領域を形成してＵ字状の容積を形成する外周を有し、
前記Ｕ字状の領域は、前記チャンバ開放端と前記チャンバ端部壁との間を長手方向に延在し、
前記チャンバ側壁の一部分は、長手方向の広がりを有する細長い凹んだ谷部を形成し、
前記第２の細長いカニューレは、前記チャンバ側壁に接触することなく、前記細長い凹んだ谷部内に位置決めされる
生検デバイス。
【請求項３】
請求項２に記載の生検デバイスであって、
前記真空チャンバハウジングの前記Ｕ字状の容積内に位置決めされるＵ字状のピストンを有する真空プランジャ機構と、
前記チャンバ側壁の内面と前記Ｕ字状のピストンとの間を密封係合させるように構成されたチャンバシール部と
を備える生検デバイス。
【請求項４】
請求項３に記載の生検デバイスであって、
前記ハウジング本体は、ピストンラッチ開口を有する内壁を備え、
前記真空プランジャ機構は、前記Ｕ字状のピストンの近位面から延在するピストンラッチ機構を備え、
前記ピストンラッチ機構は、前記Ｕ字状のピストンが近位方向に移動されたときに、前
記内壁の前記ピストンラッチ開口を通過して、後退位置において前記Ｕ字状のピストンを取り外し可能にラッチするように構成された
生検デバイス。
【請求項５】
請求項４に記載の生検デバイスであって、
前記ハウジング本体の前記内壁は、一対のリンク開口を有し、
前記Ｕ字状のピストンは、該Ｕ字状のピストンの前記近位面から近位方向に延在する一対のピストンリンクロッドを備え、
前記一対のピストンリンクロッドの各々は、近位端と、該近位端から遠位方向に延在する孔と、を有し、
前記一対のピストンリンクロッドは、前記ハウジング本体の前記内壁内において、対応する前記一対のリンク開口を通過するように構成され、
前記生検デバイスは、さらに、ハンドルベースと、該ハンドルベースから延在する一対の細長いハンドルリンクと、を有する吸引準備ハンドル機構を備え、
前記細長いハンドルリンクの各々は、長手方向スロットを有し、
前記一対の細長いハンドルリンクは、前記一対のピストンリンクロッドの前記孔内に摺動的に受け入れられ、
前記生検デバイスは、さらに、前記一対のピストンリンクロッドを前記一対の細長いハンドルリンクと摺動係合状態で接続するように構成された一対の接合構造を備える
生検デバイス。
【請求項６】
請求項１に記載の生検デバイスであって、
前記真空源は、チャンバ開放端とチャンバ端部壁とチャンバ側壁とを有する真空チャンバハウジングを備え、
前記チャンバ側壁は、長手方向の広がりを有する細長い凹んだ谷部を形成する外周を有し、
前記第２の細長いカニューレは、前記チャンバ側壁に接触することなく前記細長い凹んだ谷部内に位置決めされる
生検デバイス。
【請求項７】
請求項６に記載の生検デバイスであって、
前記チャンバ吸引ポートは、前記細長い凹んだ谷部内から前記第２の細長いカニューレに向かう方向に、前記チャンバ側壁から外側に向けて延在する
生検デバイス。
【請求項８】
請求項１ないし請求項７のいずれか一項に記載の生検デバイスであって、
前記第２の細長いカニューレは、前記第１の細長いカニューレの前記第１の内腔内に位置決めされ、
前記第１の細長いカニューレは、前記ハウジング本体に対して位置が固定されており、
前記第２の細長いカニューレは、前記第１の内腔内で、前記ハウジング本体に対して移動可能であり、
前記第２の細長いカニューレの前記第２の内腔は、前記第１の細長いカニューレの前記第１の内腔と流体連通する
生検デバイス。
【請求項９】
請求項１ないし請求項７のいずれか一項に記載の生検デバイスであって、
前記ハウジング本体に装着されるカニューレ支持ロッドを備え、
前記カニューレ支持ロッドは、前記第１の細長いカニューレおよび前記第２の細長いカニューレと同軸であり、
前記カニューレ支持ロッドは、前記第２の細長いカニューレの前記第２の内腔内に受け
入れられる
生検デバイス。
【請求項１０】
生検デバイスであって、
長手方向軸線を形成するハウジング本体と、
前記長手方向軸線に沿って延在する第１の細長いカニューレを有する第１のカニューレアセンブリと
を備え、
前記第１の細長いカニューレは、第１の側壁を有し、
前記第１の側壁は、
第１の内腔を形成するように構成され、
前記第１の側壁を通って延在する細長い側面開口を有し、
前記生検デバイスは、さらに、前記第１の細長いカニューレの前記第１の内腔内に摺動的に受け入れられる第２の細長いカニューレに連結される第２のカニューレ本体を有する第２のカニューレアセンブリを備え、
前記第２のカニューレ本体は、駆動タブと、後退位置において前記第２の細長いカニューレを取り外し可能にラッチするように構成された近位ラッチ機構と、を有し、
前記第２の細長いカニューレは、
第２の内腔を有する第２の側壁を有し、
前記第２の側壁を通って延在し、前記第２の内腔に流体連通する吸引側面ポートを有し、
前記生検デバイスは、さらに、
前記近位ラッチ機構が前記後退位置に移動されたときに圧縮されるように構成されるとともに、前記近位ラッチ機構が前記後退位置から解放されたときに伸張して、前記第２のカニューレアセンブリを遠位方向に押し出すように構成されるカニューレ駆動スプリングと、
前記ハウジング本体内に位置決めされる真空源と
を備え、
前記真空源は、
真空を蓄積するように構成され、
容積を形成するとともにチャンバ吸引ポートを有するチャンバ側壁と、前記チャンバ吸引ポートと前記第２の細長いカニューレとの間に密封係合状態で介在するシール部と、を備え、
前記生検デバイスは、さらに、前記ハウジング本体に連結されるとともに前記第２のカニューレ本体の前記駆動タブに連結される摺動体本体を有するトリガ摺動アセンブリを備え、
前記トリガ摺動アセンブリは、
近位方向への前記摺動体本体の第１の近位移動によって、前記第２のカニューレアセンブリが第１の距離だけ後退され、前記後退位置において前記第２のカニューレアセンブリの前記近位ラッチ機構がラッチされ、前記カニューレ駆動スプリングが圧縮され、
前記近位方向への前記摺動体本体の第２の近位移動によって、前記第２のカニューレアセンブリが前記第１の距離に累積して第２の距離だけ後退され、前記真空源から前記第２の細長いカニューレの前記第２の内腔まで真空を供給するために前記第２の細長いカニューレの前記吸引側面ポートが前記真空源の前記チャンバ吸引ポートと径方向に整合され、
前記摺動体本体の第３の移動によって、前記カニューレ駆動スプリングが伸張して、前記第２のカニューレアセンブリの前記第２の細長いカニューレを前記遠位方向に押し出すように、前記近位ラッチ機構が解放される
ように構成される
生検デバイス。
【請求項１１】
請求項１０に記載の生検デバイスであって、
前記摺動体本体の前記第３の移動は、前記近位方向と反対の前記遠位方向である
生検デバイス。
【請求項１２】
請求項１０または請求項１１に記載の生検デバイスであって、
前記チャンバ側壁は、Ｕ字状の容積を形成し、
前記チャンバ側壁の一部分は、長手方向の広がりを有する細長い凹んだ谷部を形成し、
前記第２の細長いカニューレは、前記チャンバ側壁に接触することなく、前記チャンバ側壁の外部で前記細長い凹んだ谷部内に位置決めされる
生検デバイス。
【請求項１３】
請求項１０または請求項１１に記載の生検デバイスであって、
前記真空源の前記チャンバ側壁は、断面がＵ字状の領域を形成する外周を有し、
前記Ｕ字状の領域は、長手方向に延在してＵ字状の容積を形成し、
前記生検デバイスは、前記Ｕ字状の容積内に位置決めされるＵ字状のピストンを有する真空プランジャ機構と、前記チャンバ側壁の内面と前記Ｕ字状のピストンとの間を密封係合するように構成されたチャンバシール部と、を備える
生検デバイス。
【請求項１４】
請求項１３に記載の生検デバイスであって、
前記ハウジング本体は、ピストンラッチ開口を有する内壁を備え、
前記真空プランジャ機構は、前記Ｕ字状のピストンの近位面から延在するピストンラッチ機構を備え、
前記ピストンラッチ機構は、前記Ｕ字状のピストンが後退位置まで前記近位方向に移動されたときに、前記内壁の前記ピストンラッチ開口を通過し、前記後退位置において前記Ｕ字状のピストンを取り外し可能にラッチするように構成された
生検デバイス。
【請求項１５】
請求項１４に記載の生検デバイスであって、
前記Ｕ字状のピストンの前記近位面から近位方向に延在する一対のピストンリンクロッドであって、該一対のピストンリンクロッドの各々が近位端と、該近位端から遠位方向に延在する孔と、を有する一対のピストンリンクロッドと、
ハンドルベースと、該ハンドルベースから延在する一対の細長いハンドルリンクと、を有する吸引準備ハンドル機構と、
前記一対のピストンリンクロッドを前記一対の細長いハンドルリンクに摺動係合状態で接続するように構成された一対の接合構造と
を備える生検デバイス。
【請求項１６】
請求項１０または請求項１１に記載の生検デバイスであって、
前記チャンバ側壁は、長手方向の広がりを有する細長い凹んだ谷部を形成する外周を有し、
前記第２の細長いカニューレは、前記チャンバ側壁に接触することなく、前記チャンバ側壁の外部で前記細長い凹んだ谷部内に位置決めされる
生検デバイス。
【請求項１７】
請求項１６に記載の生検デバイスであって、
前記チャンバ吸引ポートは、前記細長い凹んだ谷部内から前記第２の細長いカニューレに向かう方向に、前記チャンバ側壁から外側に向けて延在する
生検デバイス。
【請求項１８】
請求項１７に記載の生検デバイスであって、
前記第１の細長いカニューレは、前記ハウジング本体に対して位置が固定されており、
前記第２の細長いカニューレは、前記第１の内腔内で、前記ハウジング本体に対して移動可能であり、
前記第２の細長いカニューレの前記第２の内腔は、前記第１の細長いカニューレの前記細長い側面開口と流体連通する
生検デバイス。
【請求項１９】
請求項１０または請求項１１に記載の生検デバイスであって、
前記ハウジング本体に装着されるカニューレ支持ロッドを備え、
前記カニューレ支持ロッドは、前記第１の細長いカニューレおよび前記第２の細長いカニューレと同軸であり、
前記カニューレ支持ロッドは、前記第２の細長いカニューレの前記第２の内腔内に受け入れられる
生検デバイス。
【請求項２０】
請求項１０または請求項１１に記載の生検デバイスであって、
前記チャンバ側壁は、断面がＵ字状の領域を形成する外周を有し、
前記チャンバ側壁は、チャンバ開放端と、前記真空源のチャンバ端部壁と、の間を長手方向に延在して、Ｕ字状の容積を形成する
生検デバイス。
【請求項２１】
生検デバイスであって、
長手方向軸線を形成するハウジング本体と、
アクチュエータ本体と、該アクチュエータ本体に装着される細長いカニューレと、を有するカニューレアセンブリと
を備え、
前記細長いカニューレは、内腔を形成する側壁と、前記側壁を通って延在するとともに前記内腔と流体連通する吸引側面ポートと、を有し、
前記アクチュエータ本体は、駆動タブと近位ラッチ機構とを有し、
前記近位ラッチ機構は、前記ハウジング本体と選択的に係合して、後退位置において前記カニューレアセンブリを取り外し可能にラッチするように構成され、
前記生検デバイスは、さらに、前記ハウジング本体と前記アクチュエータ本体との間に連結されるカニューレ駆動スプリングを備え、
前記カニューレ駆動スプリングは、前記近位ラッチ機構が前記後退位置まで移動されたときに圧縮されるように構成されるとともに、前記近位ラッチ機構が前記後退位置から解放されたときに、伸張して前記細長いカニューレを遠位方向に押し出すように構成され、
前記生検デバイスは、さらに、前記ハウジング本体に連結されるとともに真空を蓄積するように構成された真空源を備え、
前記真空源は、チャンバ開放端と、チャンバ端部壁と、前記チャンバ開放端と前記チャンバ端部壁との間を延在するチャンバ側壁と、チャンバ吸引ポートと、を有する真空チャンバハウジングを備え、
前記チャンバ側壁は、断面がＵ字状の領域を形成する外周を有し、
前記Ｕ字状の領域は、前記チャンバ開放端と前記チャンバ端部壁との間を長手方向に延在して、Ｕ字状の容積を形成し、
前記生検デバイスは、さらに、カニューレアセンブリの前記駆動タブおよび前記真空源に動作可能に連結される摺動体本体を有するトリガ摺動アセンブリを備える
生検デバイス。
【請求項２２】
請求項２１に記載の生検デバイスであって、
前記チャンバ側壁の一部分は、長手方向の広がりを有する細長い凹んだ谷部を形成し、
前記細長いカニューレは、前記チャンバ側壁に接触することなく、前記細長い凹んだ谷部内に位置決めされる
生検デバイス。
【請求項２３】
請求項２１または請求項２２に記載の生検デバイスであって、
前記真空チャンバハウジングの前記Ｕ字状の容積内位置決めされるＵ字状のピストンを有する真空プランジャ機構と、
前記チャンバ側壁の内面と前記Ｕ字状のピストンとの間を密封係合するように構成されたチャンバシール部と
を備える生検デバイス。
【請求項２４】
請求項２１に記載の生検デバイスであって、
前記チャンバ側壁は、第１のＵ字状壁部と、第２のＵ字状壁部と、第１の逆Ｕ字状壁部と、第２の逆Ｕ字状壁部と、を有し、
前記第２のＵ字状壁部は、前記第１のＵ字状壁部よりも小さく、前記真空チャンバハウジングの外面のところで細長い凹んだ谷部を形成し、
前記チャンバ吸引ポートは、前記凹んだ谷部内に位置決めされ、
前記細長いカニューレは、前記チャンバ側壁に接触することなく、前記細長い凹んだ谷部内に受け入れられ、
前記生検デバイスは、さらに、前記チャンバ吸引ポートと前記細長いカニューレとの間に密封係合状態で介在する真空チャンバハウジングシール部を備える
生検デバイス。
【請求項２５】
請求項２１、請求項２２および請求項２４のいずれか一項に記載の生検デバイスであって、
前記チャンバ吸引ポートは、前記チャンバ側壁の立ち上がった突出部として構成された
生検デバイス。
【請求項２６】
請求項２４に記載の生検デバイスであって、
前記第２のＵ字状壁部は、前記チャンバ側壁の前記外周をまわる方向において、前記第１の逆Ｕ字状壁部チャンバ側壁と、前記第２の逆Ｕ字状壁部と、の間に位置する
生検デバイス。
【請求項２７】
請求項２１、請求項２２、請求項２４および請求項２６のいずれか一項に記載の生検デバイスであって、
前記摺動体本体は、
前記摺動体本体の第１の近位移動によって、前記カニューレアセンブリが第１の距離だけ後退され、前記後退位置において前記カニューレアセンブリがラッチされ、前記カニューレ駆動スプリングが圧縮され、
前記摺動体本体の第２の近位移動によって、前記カニューレアセンブリが前記第１の距離に累積して第２の距離だけ後退され、前記真空源から前記細長いカニューレの前記第２の内腔まで真空を供給するために前記細長いカニューレの前記吸引側面ポートが前記真空源の前記チャンバ吸引ポートと整合され、
前記摺動体本体の遠位方向の第３の移動によって、前記カニューレ駆動スプリングが伸張して、前記カニューレアセンブリを前記遠位方向に押し出すように、前記近位ラッチ機構が解放される
ように構成される
生検デバイス。
【請求項２８】
請求項２１または請求項２２に記載の生検デバイスであって、
前記ハウジング本体は、近位端部壁と、遠位端部壁と、上面と、前記近位端部壁と前記遠位端部壁との間に位置する内壁と、を備え、
前記内壁は、前記ハウジング本体を近位チャンバと遠位チャンバとに分離し、
前記近位チャンバは、チャンバカバーを有し、
前記遠位チャンバは、前記真空チャンバハウジングを取り付けるように構成され、
前記内壁は、前記近位ラッチ機構の一部分を取り外し可能に受け入れるために、カニューレラッチ開口を有する
生検デバイス。
【請求項２９】
請求項２１、請求項２２、請求項２４および請求項２６のいずれか一項に記載の生検デバイスであって、
前記ハウジング本体は、細長い摺動スロットを有する上面を備え、
前記細長い摺動スロットは、第１の摺動スロット縁部と、前記長手方向軸線に直交する方向に前記第１の摺動スロット縁部から離間された第２の摺動スロット縁部と、を形成し、
前記摺動体本体は、前記ハウジング本体の前記細長い摺動スロットの前記第１の摺動スロット縁部および前記第２の摺動スロット縁部をそれぞれ受け入れるように構成された一対の対向するチャネルを備え、
前記生検デバイスは、さらに、前記摺動体本体を定位置に付勢するために、前記摺動体本体と前記ハウジング本体との間に接続される付勢スプリングを備える
生検デバイス。
【請求項３０】
請求項２１、請求項２２、請求項２４および請求項２６のいずれか一項に記載の生検デバイスであって、
前記ハウジング本体は、近位端部壁と、遠位端部壁と、前記近位端部壁と前記遠位端部壁との間に位置する内壁と、を備え、
前記ハウジング本体の前記近位端部壁は、第１の対のハンドルリンク開口を有し、
前記ハウジング本体の前記内壁は、第２の対のリンク開口を有し、
前記生検デバイスは、さらに、ハンドルベースと、該ハンドルベースから延在する一対の細長いハンドルリンクと、を有する吸引準備ハンドル機構を備え、
前記一対の細長いハンドルリンクは、前記近位端部壁の前記第１の対のハンドルリンク開口を通過し、前記近位チャンバを通過し、前記内壁の前記第２の対のリンク開口を通過するように位置決めされ、
前記真空源は、プランジャ機構を有し、
前記プランジャ機構は、
ピストンと、
前記チャンバ側壁の内面と前記ピストンとの間を密封係合させるように構成されたチャンバシール部と、
前記ピストンの近位面から近位方向に延在する一対のピストンリンクロッドと
を備え、
前記一対のピストンリンクロッドの各々は、近位端と、前記一対の細長いハンドルリンクを受け入れるための、前記近位端から遠位方向に延在する孔と、を有し、
前記一対のピストンリンクロッドは、前記ハウジング本体の前記内壁内において、対応する前記一対のピストンリンク開口を通過して前記近位チャンバに入るように構成され、
前記プランジャ機構は、さらに、
前記一対の細長いハンドルリンクのまわりに受け入れられる一対の付勢スプリングであって、該付勢スプリングの各々が、前記ハウジング本体の前記近位端部壁と、前記一対のピストンリンクロッドのそれぞれの近位端と、の間に位置決めされる一対の付勢スプリ
ングと、
前記一対のピストンリンクロッドと前記一対の細長いハンドルリンクとを摺動的に接続するように構成された一対の接合構造と
を備える
生検デバイス。
【請求項３１】
請求項３０に記載の生検デバイスであって、
前記ハウジング本体の前記内壁は、
ピストンラッチ開口を有し、
前記ピストンから延在するピストンラッチ機構を備え、
前記ピストンラッチ機構は、後退位置において前記ピストンを取り外し可能にラッチするために、前記内壁の前記ピストンラッチ開口を通過するように構成された
生検デバイス。
【請求項３２】
生検デバイスであって、
長手方向軸線を形成するハウジング本体と、
アクチュエータ本体と、該アクチュエータ本体に装着される細長いカニューレと、を有するカニューレアセンブリと
を備え、
前記細長いカニューレは、内腔を形成する側壁と、前記側壁を通って延在するとともに前記内腔と流体連通する吸引側面ポートと、を有し、
前記アクチュエータ本体は、駆動タブと、近位ラッチ機構と、を有し、
前記近位ラッチ機構は、後退位置において前記カニューレアセンブリを取り外し可能にラッチするために、前記ハウジング本体と選択的に係合するように構成され、
前記生検出デバイスは、さらに、
前記ハウジング本体と前記アクチュエータ本体との間に連結されるカニューレ駆動スプリングであって、前記近位ラッチ機構が前記後退位置に移動されたときに圧縮されるように構成されるとともに、前記近位ラッチ機構が前記後退位置から解放されたときに伸張して、前記細長いカニューレを遠位方向に押し出すように構成されたカニューレ駆動スプリングと、
前記ハウジング本体に連結される真空源と
を備え、
前記真空源は、
真空を蓄積するように構成され、
チャンバ吸引ポートを有するチャンバ側壁を有する真空チャンバハウジングを備え、
前記生検デバイスは、さらに、前記ハウジング本体に摺動可能に連結されるとともに前記カニューレアセンブリの前記アクチュエータ本体の前記駆動タブに動作可能に連結される摺動体本体を有するトリガ摺動アセンブリを備え、
前記トリガ摺動アセンブリは、
前記摺動体本体の第１の近位移動によって、前記カニューレアセンブリが第１の距離だけ後退され、前記後退位置において前記カニューレアセンブリがラッチされ、前記カニューレ駆動スプリングが圧縮され、
前記摺動体本体の第２の近位移動によって、前記カニューレアセンブリが前記第１の距離に累積して第２の距離だけ後退され、前記真空源から前記細長いカニューレの前記第２の内腔まで真空を供給するために前記細長いカニューレの前記吸引側面ポートが前記真空源の前記チャンバ吸引ポートと整合され、
前記摺動体本体の遠位方向の第３の移動によって、前記カニューレ駆動スプリングが伸張して、前記カニューレアセンブリを前記遠位方向に押し出すように、前記近位ラッチ機構が解放される
ように構成される
生検デバイス。
【請求項３３】
請求項３２に記載の生検デバイスであって、
前記ハウジング本体は、近位端部壁と、遠位端部壁と、上面と、前記近位端部壁と前記遠位端部壁との間に位置する内壁と、を備え、
前記内壁は、前記ハウジング本体を近位チャンバと遠位チャンバとに分離し、
前記近位チャンバは、チャンバカバーを有し、
前記遠位チャンバは、前記真空チャンバハウジングを取り付けるように構成され、
前記内壁は、前記近位ラッチ機構の一部分を取り外し可能に受け入れるためのカニューレラッチ開口を有する
生検デバイス。
【請求項３４】
請求項３２または請求項３３に記載の生検デバイスであって、
前記ハウジング本体は、細長い摺動スロットを有する上面を備え、
前記細長い摺動スロットは、第１の摺動スロット縁部と、前記長手方向軸線と直交する方向に前記第１の摺動スロット縁部から離間された第２の摺動スロット縁部と、を形成し、
前記摺動体本体は、前記ハウジング本体の前記細長い摺動スロットの前記第１の摺動スロット縁部および前記第２の摺動スロット縁部をそれぞれ受け入れるように構成された一対の対向するチャネルを備え、
前記生検デバイスは、さらに、前記摺動体本体と前記ハウジング本体との間に接続され、前記摺動体本体を定位置に付勢する付勢スプリングを備える
生検デバイス。
【請求項３５】
請求項３２に記載の生検デバイスであって、
前記ハウジング本体は、近位端部壁と、遠位端部壁と、前記近位端部壁と前記遠位端部壁との間に位置する内壁と、を備え、
前記ハウジング本体の前記近位端部壁は、第１の対のハンドルリンク開口を有し、
前記ハウジング本体の前記内壁は、第２の対のリンク開口を有し、
前記生検デバイスは、さらに、ハンドルベースと、該ハンドルベースから延在する一対の細長いハンドルリンクと、を有する吸引準備ハンドル機構を備え、
前記一対の細長いハンドルリンクは、前記近位端部壁の前記第１の対のハンドルリンク開口を通過し、前記近位チャンバを通過し、前記内壁の前記第２の対のリンク開口を通過するように位置決めされ、
前記真空源は、プランジャ機構を有し、
前記プランジャ機構は、
ピストンと、
前記チャンバ側壁の内面と前記ピストンとの間を密封係合させるように構成されたチャンバシール部と、
前記ピストンの近位面から近位方向に延在する一対のピストンリンクロッドと
を備え、
前記一対のピストンリンクロッドの各々は、近位端と、該近位端から遠位方向に延在し、前記一対の細長いハンドルリンクを受け入れるように構成された孔と、を有し、
前記一対のピストンリンクロッドは、前記ハウジング本体の前記内壁内において、対応する前記一対のリンク開口を通過して前記近位チャンバに入るように構成され、
前記プランジャ機構は、さらに、
前記一対の細長いハンドルリンクのまわりに受け入れられる一対の付勢スプリングであって、該付勢スプリングの各々が、前記ハウジング本体の前記近位端部壁と、前記一対のピストンリンクロッドのそれぞれの近位端と、の間に位置決めされる一対の付勢スプリングと、
前記一対のピストンリンクロッドと前記一対の細長いハンドルリンクとを摺動的に接続するように構成された一対の接合構造と
を備える
生検デバイス。
【請求項３６】
請求項３３または請求項３５に記載の生検デバイスであって、
前記ハウジング本体の前記内壁は、ピストンラッチ開口を有し、
前記生検デバイスは、前記ピストンから延在するピストンラッチ機構を備え、
前記ピストンラッチ機構は、前記内壁の前記ピストンラッチ開口を通過して、後退位置において前記ピストンを取り外し可能にラッチするように構成された
生検デバイス。
【請求項３７】
請求項３２、請求項３３または請求項３５に記載の生検デバイスであって、
前記真空チャンバハウジングは、チャンバ開口端と、チャンバ端部壁と、を有し、
前記チャンバ側壁は、前記チャンバ開口端と前記チャンバ端部壁との間に介在し、
前記チャンバ側壁は、断面がＵ字状の領域を形成してＵ字状の容積を形成する外周を有し、
前記Ｕ字状の領域は、前記チャンバ開放端と前記チャンバ端部壁との間を長手方向に延在し、
前記チャンバ側壁の一部分は、長手方向の広がりを有する細長い凹んだ谷部を形成し、
前記細長いカニューレは、前記チャンバ側壁に接触することなく、前記細長い凹んだ谷部内に位置決めされる
生検デバイス。
【請求項３８】
請求項３７に記載の生検デバイスであって、
前記真空チャンバハウジングの前記Ｕ字状の容積内に位置決めされるＵ字状のピストンを有する真空プランジャ機構と、
前記チャンバ側壁の内面と前記Ｕ字状のピストンとの間を密封係合させるように構成されたチャンバシール部と
を備える生検デバイス。
【請求項３９】
請求項３２、請求項３３または請求項３５に記載の生検デバイスであって、
前記チャンバ側壁は、第１のＵ字状壁部と、第２のＵ字状壁部と、第１の逆Ｕ字状壁部と、第２の逆Ｕ字状壁部と、を有し、
前記第２のＵ字状壁部は、前記第１のＵ字状壁部よりも小さく、前記真空チャンバハウジングの外面のところに細長い凹んだ谷部を形成し、
前記チャンバ吸引ポートは、前記凹んだ谷部内に位置決めされ、
前記細長いカニューレは、前記チャンバ側壁に接触することなく、前記細長い凹んだ谷部内に受け入れられ、
前記生検デバイスは、さらに、前記チャンバ吸引ポートと前記細長いカニューレとの間に密封係合状態で介在する真空チャンバハウジングシール部を備える
生検デバイス。
【請求項４０】
請求項３９に記載の生検デバイスであって、
前記チャンバ吸引ポートは、前記チャンバ側壁の立ち上がった突出部として構成される
生検デバイス。
【請求項４１】
請求項３９に記載の生検デバイスであって、
前記第２のＵ字状壁部は、前記チャンバ側壁の前記外周をまわる方向において、前記第１の逆Ｕ字状壁部チャンバ側壁と、前記第２の逆Ｕ字状壁部と、の間に位置する
生検デバイス。
【発明の詳細な説明】
【技術分野】
【０００１】
[0002]本願は、生検デバイスに関し、より詳細には、一体型吸引器を有する、手で持って操作することができる単一挿入単一サンプル（ＳＩＳＳ）生検デバイスに関する。
【背景技術】
【０００２】
[0003]生検デバイスは、典型的には、電源とサンプル回収機構とを備えている。サンプル回収機構は、患者から組織サンプルを受け取るためのサンプル回収開口を有する生検プローブアセンブリの形態であってもよい。生検手順を実行するいくつかの医師は、大型のコンソールシステムの生検デバイスよりも、自己充足型の手に持って操作することができる生検デバイスを好む。本質的には、２つのタイプの自己充足型の手に持って操作することができる生検デバイスが存在する。すなわち、部分的に使い捨てにできる生検デバイスと、全体を使い捨てにできる生検デバイスである。
【０００３】
[0004]典型的な部分的に使い捨てにできる生検デバイスは、再使用可能な手に持って操作することができるドライバを有している。使い捨てにできるプローブが、このドライバに取り外し可能に取り付けられる。再使用可能な手に持って操作することができるドライバは、典型的には、バッテリ電源式であり、サンプルの採取および／または回収を補助するために、電気モータ駆動装置と搭載型真空ポンプとを備えている。多くの場合、そのような生検デバイスは、単一挿入多数サンプル（ＳＩＭＳ）手順用に構成されている。使い捨てにできるプローブは、単一の患者に使用され、その後、廃棄される。一方、手に持って操作することができるドライバは再使用のために保持される。
【０００４】
[0005]典型的な全体を使い捨てにできる生検デバイスは、１つ以上の機械的ドライバ（例えば、スプリング／ラッチ構造）を有しており、この機械的デバイスによって、生検デバイスは、組織サンプル採取のために引かれ、解除され得る。そのような単純な生検デバイスは、多くの場合、挿入ごとに単一のサンプルを採取するように構成されている。また、全体を使い捨てにできる生検デバイスの多くは、サンプル採取を補助するための吸引器を有していない。全体を使い捨てにできる生検デバイスにおいて吸引補助構造を備えるためのいくつかの試みがなされてきたものの、製造される吸引器は、通常、上述した部分的に使い捨てにできる生検デバイスの吸引器の性能に達するには不十分である。また、吸引補助を有する通常の全体を使い捨てにできる生検デバイスでは、そのような吸引は、組織サンプルを分離するために、切断カニューレの動作と同時に行われ、このため、吸引は、組織サンプルの採取において限られた値に制限される場合がある。
【０００５】
[0006]当該技術において必要とされるのは、サンプル採取を補助する効率的な吸引を適用しつつ、容易に使用できるように構成された全体を使い捨てにできる生検デバイスである。
【発明の概要】
【課題を解決するための手段】
【０００６】
[0007]本発明は、サンプル採取を補助する効率的な吸引用途を有しつつ、容易に使用できるように構成された全体を使い捨てにできる生検デバイスを提供する。
【０００７】
[0008]本発明は、一形態では、ハウジング本体とカニューレアセンブリと真空源とトリガ摺動アセンブリとを有する生検デバイスを対象としている。ハウジング本体は、長手方向軸線を形成する。カニューレアセンブリは、第１の細長いカニューレを有している。第１の細長いカニューレは、第１の内腔を形成するように構成された第１の側壁と、第１の
側壁を通って延在する細長い側面開口と、を備えている。第２の細長いカニューレが、第１の細長いカニューレと同軸になっている。第２の細長いカニューレは、第２の内腔を形成するように構成された第２の側壁と、切断縁部と、を有している。第２の側壁は、
第２の内腔と流体連通する吸引側面ポートを有している。真空源は、ハウジング本体内に位置決めされる。真空源は、チャンバ吸引ポートを有するチャンバ側壁を備えている。チャンバ吸引ポートと第２の細長いカニューレとの間にシールが密封係合状態で介在している。トリガ摺動アセンブリは、ハウジング本体に連結され、カニューレアセンブリに連結される。トリガ摺動アセンブリは、第２の細長いカニューレを移動させて、真空源から第２の細長いカニューレの第２の内腔に真空を供給するために第２の細長いカニューレの吸引側面ポートを真空源のチャンバ吸引ポートと整合させるように構成される。
【０００８】
[0009]本発明は、他の形態では、長手方向軸線を形成するハウジング本体を備える生検デバイスを対象としている。第１のカニューレアセンブリが、長手方向軸線に沿って延在する第１の細長いカニューレを有している。第１の細長いカニューレは、第１の内腔を形成するように構成された第１の側壁と、第１の側壁を通って延在する細長い側面開口と、を有している。第２のカニューレアセンブリが、第２の細長いカニューレに連結される第２のカニューレ本体を備えている。第２の細長いカニューレは、第１の細長いカニューレの第１の内腔内に摺動的に受け入れられる。第２のカニューレ本体は、駆動タブと、後退位置において第２の細長いカニューレを取り外し可能にラッチするように構成された近位ラッチ機構と、を有している。第２の細長いカニューレは、第２の内腔を有する第２の側壁と、第２の側壁を通って延在するとともに第２の内腔と流体連通する吸引側面ポートと、を有している。カニューレ駆動スプリングが、近位ラッチ機構が後退位置まで移動されたときに圧縮されるように構成されるとともに、近位ラッチ機構が後退位置から解放されたときに、第２のカニューレアセンブリを遠位方向に押し出すために伸張するように構成される。真空源が、ハウジング本体内に位置決めされる。真空源は、真空を蓄積するように構成される。真空源は、容積を形成するチャンバ側壁を備えている。チャンバ側壁は、チャンバ吸引ポートを有している。真空シールが、チャンバ吸引ポートと第２の細長いカニューレとの間に密閉係合状態で介在している。トリガ摺動アセンブリが摺動体本体を有している。摺動体本体は、ハウジング本体に連結されるとともに、第２のカニューレ本体の駆動タブに連結される。トリガ摺動アセンブリは、以下のように構成される。摺動体本体の近位方向への第１の近位方向移動によって、第２のカニューレアセンブリが第１の距離だけ後退され、後退位置において第２のカニューレアセンブリの近位ラッチ機構がラッチされ、カニューレ駆動スプリングが圧縮される。摺動体本体の近位方向への第２の近位方向移動によって、第２のカニューレアセンブリが、第１の距離に累積して第２の距離だけ後退され、真空源から第２の細長いカニューレの第２の内腔に真空を供給するために第２の細長いカニューレの吸引側面ポートが真空源のチャンバ吸引ポートと径方向に整合される。摺動体本体の第３の移動によって、カニューレ駆動スプリングが伸張して第２のカニューレアセンブリの第２の細長いカニューレを遠位方向に押し出すように、近位ラッチ機構が解放される。
【０００９】
[0010]本発明は、他の形態では、生検デバイスを対象としている。この生検デバイスは、長手方向軸線を形成するハウジング本体を備えている。カニューレアセンブリが、アクチュエータ本体と、アクチュエータ本体に装着された細長いカニューレと、を有している。細長いカニューレは、内腔を形成する側壁と、側壁を通って延在するとともに内腔と流体連通する吸引側面ポートと、を有している。アクチュエータ本体は、駆動タブと近位ラッチ機構とを有している。近位ラッチ機構は、後退位置においてカニューレアセンブリを取り外し可能にラッチするために、ハウジング本体と選択的に係合するように構成される。カニューレ駆動スプリングが、ハウジング本体とアクチュエータ本体との間に連結される。カニューレ駆動スプリングは、近位ラッチ機構が後退位置まで移動されたときに圧縮されるように構成されるとともに、近位ラッチ機構が後退位置から解放されたときに細長
いカニューレを遠位方向に押し出すために伸張するように構成される。真空源が、ハウジング本体に連結されており、真空を蓄積するように構成される。真空源は、真空チャンバハウジングを備えている。真空チャンバハウジングは、チャンバ開口端と、チャンバ端部壁と、チャンバ開口端とチャンバ端部壁との間を延在するチャンバ側壁と、チャンバ吸引ポートと、を有している。チャンバ側壁は、断面がＵ字状の領域を形成する外周を有しており、この外周は、チャンバ開口端とチャンバ端部壁との間を長手方向に延在してＵ字状の容積を形成する。トリガ摺動アセンブリは、カニューレアセンブリの駆動タブおよび真空源に動作可能に連結される摺動体本体を有している。
【００１０】
[0011]本発明は、他の形態では、ハウジング本体とカニューレアセンブリとを備える生検デバイスを対象としている。カニューレアセンブリは、アクチュエータ本体と、アクチュエータ本体に装着された細長いカニューレと、を有している。細長いカニューレは、内腔を形成する側壁と、側壁を通って延在するとともに内腔と流体連通する吸引側面ポートと、を有している。アクチュエータ本体は、駆動タブと近位ラッチ機構とを有している。近位ラッチ機構は、後退位置においてカニューレアセンブリを取り外し可能にラッチするためにハウジング本体と選択的に係合するように構成される。カニューレ駆動スプリングが、ハウジング本体とアクチュエータ本体との間に連結される。カニューレ駆動スプリングは、近位ラッチ機構が後退位置まで移動されたときに圧縮されるように構成されるとともに、近位ラッチ機構が後退位置から解放されたときに細長いカニューレを遠位方向に押し出すために伸張するように構成される。真空源が、ハウジング本体に連結されており、真空を蓄積するように構成される。真空源は、チャンバ吸引ポートを有するチャンバ側壁を有する真空チャンバハウジングを備えている。トリガ摺動アセンブリが、摺動体本体を有している。摺動体本体は、ハウジング本体に摺動可能に連結され、カニューレアセンブリのアクチュエータ本体の駆動タブに動作可能に連結される。トリガ摺動アセンブリは、以下のように構成されている。摺動体本体の第１の近位方向移動によって、カニューレアセンブリが第１の距離だけ後退され、後退位置においてカニューレアセンブリがラッチされ、カニューレ駆動スプリングが圧縮される。摺動体本体の第２の近位方向移動によって、カニューレアセンブリが、第１の距離に累積して第２の距離だけ後退され、真空源から細長いカニューレの第２の内腔に真空を供給するために、細長いカニューレの吸引側面ポートが真空源のチャンバ吸引ポートと整合される。遠位方向への摺動体本体の第３の移動によって、カニューレ駆動スプリングが伸張してカニューレアセンブリを遠位方向に押し出すように、近位ラッチ機構が解放される。
【００１１】
[0012]添付図面とともに行われる本発明の実施形態の次の説明を参照することによって、本発明の上述および他の特徴および利点、ならびに、それらを実現する方法がいっそう明白になり、本発明がいっそう理解されるであろう。
【図面の簡単な説明】
【００１２】
【図１】[0013]本発明の一実施形態による生検デバイスの斜視図である。
【図２】[0014]図１の生検デバイスの側面図である。
【図３】[0015]図１の生検デバイスの分解図である。
【図４】[0016]図２の生検デバイスの面４−４に沿った断面図である。
【図５】[0017]図４の断面図に対応する断面図であり、内側カニューレアセンブリのラッチ機構と、真空源と、をそれらのそれぞれのラッチ（準備）位置に示している。
【図６】[0018]図２の生検デバイスの面６−６に沿った断面図である。
【図７】[0019]図１および図２の生検デバイスの図１の面７−７に沿った断面図であり、真空源と、内側カニューレアセンブリと、吸引準備ハンドル機構と、トリガ摺動アセンブリの摺動体本体と、をそれらのそれぞれの定位置に示している。
【図８】[0020]図７の断面に対応する断面図であり、準備位置にある真空源と、完全に後退された吸引準備ハンドル機構と、を示している。
【図９】[0021]図７の断面に対応する断面図であり、準備位置にある真空源と、戻り準備位置にある吸引準備ハンドル機構と、を示している。
【図１０】[0022]図７の断面に対応する断面図であり、第１の後退準備位置にあるトリガ摺動アセンブリの摺動体本体と、準備（引き）位置にある内側カニューレアセンブリと、を示している。
【図１１】[0023]図１０の断面図の一部分の拡大図であり、切断カニューレ側壁によって閉じられたチャンバ吸引ポートを有する真空源を示している。
【図１２】[0024]図７の断面に対応する断面図であり、さらに後退された吸引適用位置にある内側カニューレアセンブリ、および、トリガ摺動アセンブリの摺動体本体を示している。
【図１３】[0025]図１２の断面図の一部分の拡大図であり、開放され、切断カニューレ側壁の吸引側面ポートに流体連通するチャンバ吸引ポートを有する真空源を示している。
【図１４】[0026]図７の断面に対応する断面図であり、準備（引き）位置にある内側カニューレアセンブリを、定位置に戻されたトリガ摺動アセンブリの摺動体本体とともに示している。
【図１５】[0027]図１４の断面図の一部分の拡大図であり、摺動体本体がその定位置を越えて遠位方向に移動した際に解放するためにカニューレラッチ機構を下方に向けて偏向させる準備ができたトリガ摺動アセンブリの摺動体本体を示している。
【００１３】
[0028]いくつかの図を通して、対応する参照符号は、対応する部品を示している。本明細書で記載される例示は、本発明の実施形態を示しており、そのような例示は、いかなる方法によっても本発明の範囲を限定するものとして解釈されない。
【発明を実施するための形態】
【００１４】
[0029]図面、より詳細には図１〜７を参照すると、本発明の実施形態による生検デバイス１０が示されている。生検デバイス１０は、全体を使い捨てにできる単一挿入単一サンプル（ＳＩＳＳ）生検デバイスとして構成されている。
【００１５】
[0030]図１〜３に示されるように、生検デバイス１０は、概して、ハウジング１２と、トリガ摺動アセンブリ１４と、カニューレアセンブリ１６と、真空源１８と、を備えている。説明される生検デバイス１０において、便宜上、遠位方向Ｄ１および近位方向Ｄ２に言及される。
【００１６】
[0031]ハウジング１２は、長手方向軸線２２を形成するハウジング本体２０を備えている。ハウジング本体２０は、近位端部壁２４と、遠位端部壁２６と、上面２８と、内壁３０と、を有している。内壁３０は、近位端部壁２４と遠位端部壁２６との間に位置している。内壁３０は、ハウジング本体２０を近位チャンバ３２と遠位チャンバ３４とに分離している。チャンバカバー３６が、ハウジング本体２０に取り外し可能に取り付けられて、近位チャンバ３２を取り囲んでいる。
【００１７】
[0032]近位端部壁２４は、一対のハンドルリンク開口２４−１，２４−２を有している。
【００１８】
[0033]さらに図４および図５を参照すると、内壁３０は、２つのピストンリンク開口３０−１，３０−２と、ピストンラッチ開口３０−３と、カニューレラッチ開口３０−４と、を有している。
【００１９】
[0034]図３に最もよく示されているように、ハウジング本体２０の上面２８は、第１の摺動スロット縁部３８−１と第２の摺動スロット縁部３８−２とを形成する細長い摺動ス
ロット３８を有している。第２の摺動スロット縁部３８−２は、長手方向軸線２２と直交する方向に第１の摺動スロット縁部３８−１から離間されている。
【００２０】
[0035]トリガ摺動アセンブリ１４は、細長い摺動スロット３８のところでハウジング本体２０に連結されている。トリガ摺動アセンブリ１４は、摺動体本体４０を備えている。摺動体本体４０は、ハウジング本体２０の細長い摺動スロット３８の第１の摺動スロット縁部３８−１および第２の摺動スロット縁部３８−２をそれぞれ受け入れるように構成された一対の対向するチャネル４０−１，４０−２を有している。トリガ摺動アセンブリ１４は、付勢スプリング４２によって遠位方向Ｄ１に付勢されている。
【００２１】
[0036]さらに図７〜１０，１２，１４を参照すると、摺動体本体４０の近位端４０−３を基準点として使用して、摺動体本体４０は、４つの位置、すなわち、定位置（ホームポジション）４０−４と、第１の近位位置４０−５と、第２の近位位置４０−６と、最遠位位置４０−７と、を有している。摺動体本体４０のこの４つの位置は、より詳細に以下に説明される。
【００２２】
[0037]図３に最もよく示されているように、カニューレアセンブリ１６は、カニューレ支持ロッド４４と、外側カニューレアセンブリ４６と、内側カニューレアセンブリ４８と、を備えている。
【００２３】
[0038]カニューレ支持ロッド４４は、ハウジング本体２０内において、長手方向軸線２２とともに延在するように長手方向軸線２２上に配置されている。カニューレ支持ロッド４４は、ハウジング本体２０の内壁３０に接続された近位端４４−１を有している。カニューレ支持ロッド４４は、位置が固定された外側カニューレアセンブリ４６および移動可能な内側カニューレアセンブリ４８のために、長手方向軸線２２に沿った径方向支持を提供する。
【００２４】
[0039]外側カニューレアセンブリ４６は、端部キャップ本体５０と、長手方向軸線２２に沿って延在する細長い外側カニューレ５２と、を有している。端部キャップ本体５０は、ハウジング本体２０の遠位端部壁２６のところでハウジング本体２０に接続されている。このため、外側カニューレ５２は、ハウジング本体２０に対して位置が固定されている。外側カニューレ５２は、カニューレ支持ロッド４４と同軸であり、カニューレ支持ロッド４４の一部分を覆うように受け入れられる。
【００２５】
[0040]外側カニューレ５２は、端部５２−１と、貫通先端５２−２と、端部５２−１と貫通先端５２−２との間を延在する側壁５２−３と、を有している。端部５２−１は、端部キャップ本体５０に装着されている。側壁５２−３は、内腔５２−４を形成するように構成されており、細長い側面開口５２−５を有している。細長い側面開口５２−５は、側壁５２−３を通って延在している。このため、細長い側面開口５２−５は、内腔５２−４と流体連通する。細長い側面開口５２−５は、生検手順中に組織サンプルを受け入れるように構成される。
【００２６】
[0041]内側カニューレアセンブリ４８は、アクチュエータ本体５４と、カニューレ支持ロッドシール部５６と、細長い切断カニューレ５８と、を備えている。
【００２７】
[0042]さらに、図３とともに図７を参照すると、アクチュエータ本体５４は、駆動タブ５４−１と、近位ラッチ機構５４−２と、カニューレ取付部５４−３と、近位軸線方向孔５４−４と、を有している。駆動タブ５４−１は、摺動体本体４０とともに長手方向（例えば、近位方向Ｄ２）に移動するために、トリガ摺動アセンブリ１４の摺動体本体４０と係合するように構成される。
【００２８】
[0043]さらに図１０を一緒に参照すると、アクチュエータ本体５４の近位ラッチ機構５４−２と、ハウジング本体２０の内壁３０のカニューレラッチ開口３０−４とは、スナップに特徴付けられる戻り止めを形成する。近位ラッチ機構５４−２は、ハウジング本体２０の内壁３０のカニューレラッチ開口３０−４を通過するように構成されており、それによって、細長い切断カニューレ５８を後退（準備、または、場合によっては引きとも呼ぶ）位置に取り外し可能にラッチすることができる。より具体的には、近位ラッチ機構５４−２は、片持ちレバーアーム５４−５の形態である。片持ちレバーアーム５４−５は、その自由端のところにラッチ頭部５４−６を有している。ラッチ頭部５４−６は、細長い切断カニューレ５８を後退（準備または引き）位置に取り外し可能にラッチするために、近位チャンバ３２内のカニューレラッチ開口３０−４に隣接する内壁３０の一部分（図５も参照）を捕捉するように構成される。
【００２９】
[0044]切断カニューレ５８は、カニューレ支持ロッド４４および外側カニューレ５２と同軸である。より具体的には、本実施形態では、切断カニューレ５８は、カニューレ支持ロッド４４と外側カニューレ５２との間に径方向に介在しており、切断カニューレ５８は、外側カニューレ５２の内腔５２−４内に摺動可能に受け入れられており、カニューレ支持ロッド４４を摺動可能に受け入れている。
【００３０】
[0045]図３に最もよく示されるように、切断カニューレ５８は、端部５８−１と、遠位切断縁部５８−２と、端部５８−１と遠位切断縁部５８−２との間を延在する側壁５８−３（図１１も参照）と、を有している。端部５８−１は、端部５８−１がアクチュエータ本体５４の近位軸線方向孔５４−４と流体連通する状態で、カニューレ取付部５４−３に装着されている。
【００３１】
[0046]側壁５８−３は、内側内腔５８−４を形成する。内側内腔５８−４は、カニューレ支持ロッド４４のまわりに摺動的に受け入れられる。カニューレ支持ロッドシール部５６（ゴム製Ｏリングの形態）が、アクチュエータ本体５４の近位軸線方向孔５４−４内に位置決めされている。カニューレ支持ロッド４４は、カニューレ支持ロッドシール部５６がアクチュエータ本体５４とカニューレ支持ロッド４４との間に径方向に介在する状態で、カニューレ支持ロッドシール部５６の孔を通って受け入れられる。このため、カニューレ支持ロッドシール部５６は、アクチュエータ本体５４の近位軸線方向孔５４−４内において軸線方向に位置が固定されるように構成される、一方、アクチュエータ本体５４とともにカニューレ支持ロッド４４に沿って軸線方向に移動可能である。
【００３２】
[0047]さらに図１２および図１３を参照すると、切断カニューレ５８は、さらに、吸引側面ポート５８−５を備えている。吸引側面ポート５８−５は、端部５８−１のところで側壁５８−３を通って延在しており、内側内腔５８−４と流体連通する。切断カニューレ５８が外側カニューレ５２の内腔５２−４内に位置決めされた状態で、吸引側面ポート５８−５は、細長い側面開口５２−５を備える外側カニューレ５２の遠位部分とさらに流体連通する。
【００３３】
[0048]再度、図３，７〜９を参照すると、カニューレ駆動スプリング６０（例えば、コイルスプリングの形態）が、ハウジング本体２０の内壁３０と内側カニューレアセンブリ４８のアクチュエータ本体５４との間で、ハウジング本体２０の遠位チャンバ３４内に位置決めされる。さらに図１０，１２，１４を参照すると、カニューレ駆動スプリング６０は、内側カニューレアセンブリ４８が近位方向Ｄ２に後退位置まで移動されたときに、圧縮されてエネルギーを蓄積するように構成される。このとき、近位ラッチ機構５４−２のラッチ頭部５４−６は、ハウジング本体２０の内壁３０のカニューレラッチ開口３０−４を通過し、それによって、後退位置において内側カニューレアセンブリ４８（細長い切断
カニューレ５８を含む）を取り外し可能にラッチする。同様に、カニューレ駆動スプリング６０は、近位ラッチ機構５４−２がそのラッチ状態から解放されたときに、伸張して、蓄積されたエネルギーを解放して内側カニューレアセンブリ４８を遠位方向Ｄ１に押し出すように構成される。
【００３４】
[0049]図３，７〜９に最もよく示されるように、真空源１８に追加されているのは、吸引準備ハンドル機構６２である。吸引準備ハンドル機構６２は、真空の供給によって真空源１８を準備（すなわち、チャージ）するように構成される。吸引準備ハンドル機構６２は、ハンドルベース６４と、ハンドルベース６４から遠位方向Ｄ１に延在する一対の細長いハンドルリンク６６，６８と、を備えている。ハンドルベース６４は、１つ以上の周囲把持頂部６４−１を備えていてもよい。
【００３５】
[0050]一対の細長いハンドルリンク６６，６８は、近位端部壁２４のそれぞれの対のハンドルリンク開口２４−１，２４−２を通過して近位チャンバ３２内に入るように位置決めされる。一対の細長いハンドルリンク６６，６８の各々は、それぞれの長手方向スロット６６−１，６８−１を有している。また、一対の細長いハンドルリンク６６，６８の各々は、より完全に以下で説明されるように、真空源１８と係合するために、ハウジング本体２０の内壁３０のピストンリンク開口３０−１，３０−２のそれぞれのリンク開口を通過するように構成される。
【００３６】
[0051]再度、図３および図６を参照すると、真空源１８は、真空チャンバハウジング７０を備えている。真空チャンバハウジング７０は、チャンバ開口端７２と、チャンバ端部壁７４と、チャンバ側壁７６と、を有している。チャンバ側壁７６は、断面がＵ字状の領域を形成する外面７０−１に対応する外周７６−１を有している。このＵ字状の領域は、チャンバ開口端７２とチャンバ端部壁７４との間を長手方向に延在し、Ｕ字状の容積７６−２を形成する。チャンバ側壁７６のＵ字状の構造によって、内側カニューレアセンブリ４８が真空源１８のそれと同一の設置面積内で移動可能に挟まれる能力が容易になり、それによって、生検デバイス１０内の空間を効率的に利用することができる。
【００３７】
[0052]さらに図８〜１３を参照すると、チャンバ側壁７６は、チャンバ吸引ポート７６−３を有している。特に図１１および図１３を参照すると、細長い切断カニューレ５８の吸引側面ポート５８−５は、真空チャンバハウジング７０のチャンバ吸引ポート７６−３と選択的に流体係合するように構成される。チャンバ吸引ポート７６−３は、チャンバ側壁７６の立ち上がった突出部として構成されており、立ち上がった突出部は、チャンバ側壁７６の立ち上がった突出部を通ってＵ字状の容積７６−２まで延在する孔を有している。真空チャンバハウジングシール部７８（ゴム製のＯリングの形態）は、真空チャンバハウジング７０のチャンバ吸引ポート７６−３と細長い切断カニューレ５８との間に密封係合状態で介在している。真空チャンバハウジング７０のチャンバ吸引ポート７６−３と細長い切断カニューレ５８の吸引側面ポート５８−５とが径方向に整合されると、真空チャンバハウジングシール部７８は、真空チャンバハウジング７０のチャンバ吸引ポート７６−３と、細長い切断カニューレ５８の吸引側面ポート５８−５と、の間に密封係合状態で介在する。その結果、切断カニューレ５８の内側内腔５８−４内の真空を容易に確立できる。
【００３８】
[0053]特に図３および図６を参照すると、チャンバ側壁７６は、第１のＵ字状壁部７６−４と、第２のＵ字状壁部７６−５と、第１の逆Ｕ字状壁部７６−６と、第２の逆Ｕ字状壁部７６−７と、を有している。第２のＵ字状壁部７６−５は、第１のＵ字状壁部７６−４よりも小さく、それによって、真空チャンバハウジング７０のチャンバ側壁７６の上部のところの外面７０−１のところに細長く凹んだ上部谷部８０が形成される。第２のＵ字状壁部７６−５は、チャンバ側壁７６の上部の外周７６−１の周りにおいて、第１の逆Ｕ
字状壁部７６−６と第２の逆Ｕ字状壁部７６−７との間に位置する。
【００３９】
[0054]図３および図６に最もよく示されるように、細長く凹んだ谷部８０は、内側カニューレアセンブリ４８（アクチュエータ本体５４および切断カニューレ５８を含む）を受け入れるように構成される。より具体的には、アクチュエータ本体５４は、凹んだ谷部８０の長手方向の広がりに沿って径方向に支持される下部湾曲面を備えており、切断カニューレ５８は、チャンバ側壁７６に接触することなく、細長く凹んだ谷部８０内に受け入れられる。再び図１０〜１３を参照すると、チャンバ吸引ポート７６−３は、細長く凹んだ谷部８０内から切断カニューレ５８に向けた方向に、チャンバ側壁７６から外側に向けて延在している。
【００４０】
[0055]図２，３，６，７を参照すると、真空源１８は、さらに、真空プランジャ機構８２を備えている。真空プランジャ機構８２は、Ｕ字状の容積７６−２内に位置決めされるＵ字状のピストン８４を備えている。Ｕ字状のピストン８４は、近位面８４−１と遠位面８４−２とを有している。チャンバシール部８５（Ｕ字状のゴム製のＯリングの形態）は、チャンバ側壁７６の内面７６−８とＵ字状のピストン８４との間を密封係合するように構成される。
【００４１】
[0056]図２，５〜１０を参照すると、ピストンラッチ機構８４−３は、近位面８４−１から近位方向Ｄ２に延在しており、片持ちレバーアーム８４−４の形態である。片持ちレバーアーム８４−４は、その自由端のところにラッチ頭部８４−５を有している。全体として、Ｕ字状のピストン８４のピストンラッチ機構８４−３と、ハウジング本体２０の内壁３０のピストンラッチ開口３０−３とは、スナップによって特徴付けられた戻り止めを形成する。
【００４２】
[0057]特に図８および図９を参照すると、真空源１８を準備するためにＵ字状のピストン８４が近位方向Ｄ２に移動（すなわち後退）されると、真空が真空チャンバハウジング７０内に蓄積される。このため、真空チャンバハウジング７０は、準備されたと捉えられる。ピストンラッチ機構８４−３は、ハウジング本体２０の内壁３０のピストンラッチ開口３０−３を通過し、それによって、Ｕ字状のピストン８４を後退（準備）位置において取り外し可能にラッチするように構成される。より具体的には、ピストンラッチ機構８４−３のラッチ頭部８４−５は、Ｕ字状のピストン８４を後退（準備）位置において取り外し可能にラッチするために、近位チャンバ３２のピストンラッチ開口３０−３に隣接する内壁３０の一部分を捕捉するように構成される。
【００４３】
[0058]図８〜１０，１２，１４を参照すると、真空源１８が準備されると、真空チャンバハウジング７０は、Ｕ字状のピストン８４とともに、フルチャージ時に−５．０ｐｓｉから−６．０ｐｓｉ（−３４．４ｋＰａ〜−４１．４ｋＰａ）の範囲の真空圧で、約２０立方センチメートルの真空貯蔵を形成する。
【００４４】
[0059]再び図３を参照すると、真空源１８は、Ｕ字状のピストン８４が近位方向Ｄ２に後退した際に真空が真空チャンバハウジング７０内に蓄積され得るように、また、吸引予備準備動作のための準備において、Ｕ字状のピストン８４が解放されチャンバ端部壁７４に向けて遠位方向Ｄ１に移動されるときに均圧化され得るように、チェックバルブ８９を有して構成される。チェックバルブ８９は、一方向のみの流体の流れを容易にするように構成されており、例えば、ボール／スプリングバルブの形態であってもよい。図３に示されるように、チェックバルブ８９は、真空チャンバハウジング７０のチャンバ端部壁７４上に配置される。代替的には、チェックバルブ８９は、Ｕ字状のピストン８４内に入るように構築されてもよいことが考えられる。
【００４５】
[0060]図３，５，６，８〜１０，１２，１４を参照すると、一対のピストンリンクロッド８６，８８が、Ｕ字状のピストン８４の近位面８４−１から近位方向に延在している。一対のピストンリンクロッド８６，８８の各々は、それぞれの近位端８６−１，８８−１と、近位端８６−１，８８−１から遠位方向に延在する孔８６−２，８８−２と、を有している。一対のピストンリンクロッド８６，８８の各々は、ハウジング本体２０の内壁３０内において、それぞれのピストンリンク開口３０−１，３０−２（図４および図５を参照）を通過して、近位チャンバ３２内に入る（図８〜１０を参照）ように構成される。一対の付勢スプリング９０，９２の各々は、一対のピストンリンクロッド８６，８８のまわりにそれぞれ受け入れられ、ハウジング本体２０の近位端部壁２４と、一対の細長いハンドルリンク６６，６８のそれぞれの近位端８６−１，８８−１と、の間に位置決めされる。一対の接合構造８６−３，８８−３（例えば、タブ、クリップ、ピンなど）が、真空プランジャ機構８２の一対のピストンリンクロッド８６，８８のそれぞれのピストンリンクロッドに装着されてもよく、あるいは、それと一体であってもよく、また、吸引準備ハンドル機構６２のそれぞれの細長いハンドルリンク６６，６８のそれぞれの長手方向スロット６６−１，６８−１内で摺動可能に係合されるように構成される。本実施形態では、一対の接合構造８６−３，８８−３の各々は、一対のピストンリンクロッド８６，８８のそれぞれのピストンリンクロッド上に配置されたスナップタブの一部分として形成され、また、吸引準備ハンドル機構６２のそれぞれの細長いハンドルリンク６６，６８のそれぞれの長手方向スロット６６−１，６８−１と係合するように構成される。代替的には、接合構造８６−３，８８−３は、別体の留め具（例えば、ピン）であってもよいことが考えられる。
【００４６】
[0061]最初に図７〜１５を参照し、全体的に図３を参照して、生検デバイス１０の動作について説明する。
【００４７】
[0062]図７は、全ての構成要素がそれらのそれぞれの定位置に配置された生検デバイス１０を示している。より具体的には、摺動体本体４０の定位置４０−４は、摺動体本体４０に外力が加えられていないときに摺動体本体４０が常に戻る位置である。また、吸引準備ハンドル機構６２のハンドルベース６４の定位置６４−２は、ハンドルベース６４がハウジング本体２０の最近位部分に直接的に隣接する位置である。
【００４８】
[0063]図８を参照すると、生検手順を実行するために生検デバイス１０を準備するために、真空源１８は、準備されている（すなわち、真空チャンバハウジング７０内に真空が蓄積されている）。真空源１８を準備するために、ユーザは、ハンドルベース６４を近位方向Ｄ２にその最近位位置６４−３まで引っ張り、それによって、真空プランジャ機構８２の近位方向Ｄ２に、完全な後退（準備）位置まで近位方向後退が生じる。
【００４９】
[0064]より具体的には、ハンドルベース６４の最近位位置６４−３に向けた近位方向の移動によって、ハンドルリンク６６，６８が近位方向に移動することになる。ハンドルリンク６６，６８はピストンリンクロッド８６，８８に摺動可能に連結されるので、ハンドルリンク６６，６８の近位方向の移動によって、真空プランジャ機構８２が吸引準備位置まで近位方向に移動することになる。この場合、ハンドルベース６４は、最近位位置６４−３に到達し、ピストンラッチ機構８４−３は、ハウジング本体２０の内壁３０のピストンラッチ開口３０−３を通過し、後退（準備）位置においてＵ字状のピストン８４を取り外し可能にラッチする。同時に、スプリング９０，９２は、圧縮される。
【００５０】
[0065]図９を参照すると、真空源１８を準備した後、ハンドルベース６４は、近位中間位置６４−４まで遠位方向Ｄ１に移動される。ハンドルリンク６６，６８はハンドルベース６４に固定的に取り付けられるので、ハンドルベース６４の移動によって、ハンドルリンク６６，６８の移動も生じる。しかしながら、ハンドルリンク６６，６８は、長手方向
スロット６６−１，６８−１を介してピストンリンクロッド８６，８８に摺動可能に接合され、一方、Ｕ字状のピストン８４は後退（準備）位置にラッチされているので、ハンドルリンク６６，６８は、ハンドルリンク６６，６８がピストンリンクロッド８６，８８内につぶれて抵抗点に達するまで、ピストンリンクロッド８６，８８内を遠位方向Ｄ１に自由に移動することができる。抵抗点は、例えば、長手方向スロット６６−１，６８−１の長さによって定義されてもよく、あるいは、ハンドルリンク６６，６８の遠位端が、ピストンリンクロッド８６，８８内においてＵ字状のピストン８４の近位面８４−１に衝突するときであってもよい。
【００５１】
[0066]したがって、ハンドルベース６４が近位中間位置６４−４にあると、ハンドルベース６４の遠位方向の移動が制限される。しかしながら、真空源１８を再準備および／または準備解除することが望まれる場合には、ユーザは、ピストンラッチ機構８４−３のラッチ力に打ち勝ち、スプリング９０，９２が伸張し、Ｕ字状のピストン８４がその定位置まで戻される（図７参照）ために、ハンドルベース６４に対して遠位方向Ｄ１に圧力をしっかりと加える（例えば、手でしっかりと動かす）ことによって、そのようにしてもよい。
【００５２】
[0067]真空源１８を準備した後（図９）、生検デバイス１０は、生検部位に位置決めするために、カニューレアセンブリ１６を患者の組織内に挿入する準備ができた状態になる。特に、カニューレアセンブリ１６は、外側カニューレ５２の細長い側面開口５２−５が生検部位の採取されるべき組織に隣接して位置決めされるように患者内に挿入される。
【００５３】
[0068]図１０，１２，１４を参照すると、次いで、トリガ摺動アセンブリ１４の摺動体本体４０は、組織サンプル採取手順を達成するために、順次、定位置４０−４から第１の近位位置４０−５まで移動され（図１０）、次いで、第２の近位位置４０−６まで移動され（図１２）、次いで、定位置４０−４に戻り（図９）、次いで、最遠位位置４０−７まで移動される（図１４参照）。
【００５４】
[0069]再度述べるが、摺動体本体４０の定位置４０−４（例えば、図９参照）は、摺動体本体４０に外力が加えられていないときに摺動体本体４０が常に戻る位置である。このため、摺動体本体４０がユーザによって解放されているときはいつでも、意図的であっても、意図的でなくても、摺動体本体４０は、常に定位置４０−４に戻り、定位置４０−４から手順が再開され得る。
【００５５】
[0070]図１０を参照すると、第１の近位位置４０−５は、内側カニューレアセンブリ４８（切断カニューレ５８が含まれる）の準備（引き）が生じる摺動体本体４０の位置である。摺動体本体４０が近位方向Ｄ２に移動されると、摺動体本体４０は、内側カニューレアセンブリ４８のアクチュエータ本体５４の駆動タブ５４−１と係合し、切断カニューレ５８は、駆動タブ５４−１に固定的に取り付けられる。このため、近位方向Ｄ２における摺動体本体４０の長手方向の移動によって、切断カニューレ５８を有する内側カニューレアセンブリ４８の近位方向Ｄ２における対応する移動が生じる。
【００５６】
[0071]摺動体本体が第１の近位位置４０−５まで近位方向に移動することによって、内側カニューレアセンブリ４８が第１の距離だけ後退され、後退（準備または引き）位置において細長い切断カニューレ５８の近位ラッチ機構５４−２がラッチされ、カニューレ駆動スプリング６０が圧縮される。より具体的には、近位ラッチ機構５４−２は、ハウジング本体２０の内壁３０のカニューレラッチ開口３０−４を通過し、後退（準備または引き）位置において細長い切断カニューレ５８を取り外し可能にラッチする。準備（引き）位置では、細長い切断カニューレ５８は、後退されており、外側カニューレ５２の細長い側面開口５２−５を開放する。
【００５７】
[0072]図１１も参照すると、トリガ摺動アセンブリ１４の摺動体本体４０が、第２の近位位置４０−６以外の任意の位置にあるとき、切断カニューレ５８は、真空チャンバハウジング７０のチャンバ吸引ポート７６−３を塞ぎ、このため、真空チャンバハウジング７０内に蓄積された真空の供給が漏れることが防止される。
【００５８】
[0073]このため、図１２を参照すると、生検手順中に外側カニューレ５２の細長い側面開口５２−５に真空を適用するために、摺動体本体４０は、第２の近位位置４０−６まで移動され、第２の近位位置４０−６は、第１の近位位置４０−５よりも近位に所定距離だけ離間される。このため、第２の近位位置４０−６までの摺動体本体の第２の近位移動によって、内側カニューレアセンブリ４８が、第１の近位位置４０−５に関連する第１の近位距離に累積して第２の距離だけ後退される。その結果、細長い切断カニューレ５８の吸引側面ポート５８−５が真空源１８のチャンバ吸引ポート７６−３と径方向に整合し（図１３参照）、真空源１８の真空チャンバハウジング７０から切断カニューレ５８の内側内腔５８−４まで、そして、外側カニューレ５２の細長い側面開口５２−５まで真空が移動され、細長い側面開口５２−５に隣接する組織に真空が適用され、切断カニューレ５８を解放する前に組織が細長い側面開口５２−５内に吸引される。
【００５９】
[0074]ユーザは、外側カニューレ５２の細長い側面開口５２−５のところで真空を確立し、採取されるべき組織を外側カニューレ５２の細長い側面開口５２−５内に吸引するのに必要とみなされる時間のみ、トリガ摺動アセンブリ１４の摺動体本体４０を第２の近位位置４０−６のところに維持するであろう。この期間は、例えば、医師によって決定される０．５〜２秒であってもよい。次いで、ユーザは、摺動体本体４０を解放し、付勢スプリング４２は、摺動体本体４０を定位置４０−４に戻す。
【００６０】
[0075]図１４および図１５を参照すると、摺動体本体４０の最遠位位置４０−７は、定位置４０−４よりも遠位の位置であり、内側カニューレアセンブリ４８（切断カニューレ５８が含まれる）の解除（準備解除）が生じる（すなわち、外側カニューレ５２の細長い側面開口５２−５内に受け入れられた組織サンプルを切り離すための）位置である。図１４および図１５に示されるように、摺動体本体４０は、押圧構造４０−８を備えている。押圧構造４０−８は、摺動体本体４０が定位置４０−４から最遠位位置４０−７に向けて遠位方向に移動されるときに、押圧構造４０−８が内側カニューレアセンブリ４８の近位ラッチ機構５４−２のラッチ頭部４５−６と係合し、近位ラッチ機構５４−２のラッチ頭部４５−６を下方に推し進めてカニューレラッチ開口３０−４のところでのラッチ頭部４５−６と内壁３０との遠位接触を解放するように構成される。このため、カニューレ駆動スプリング６０は、圧縮状態から解放され（すなわち、解除または準備解除；図７参照）、内側カニューレアセンブリ４８（切断カニューレ５８が含まれる）が遠位方向Ｄ１に押し出され、その結果、切断カニューレの遠位切断縁部５８−２は、外側カニューレ５２の細長い側面開口５２−５を越えて移動し、外側カニューレ５２の細長い側面開口５２−５内に以前に受け入れられた組織サンプルを切り離し、この組織サンプルをカニューレアセンブリ１６内に捕捉する。
【００６１】
[0076]このとき、生検デバイス１０のカニューレアセンブリ１６は、患者から取り外される。次いで、切断カニューレ５８を有する内側カニューレアセンブリ４８は、捕捉された組織サンプルを外側カニューレ５２の細長い側面開口５２−５から取り出すために後退される。
【００６２】
[0077]この同一の患者からのさらなるサンプルが必要なときは、次いで、上述のプロセスが繰り返されてもよい。
【００６３】
[0078]患者から全ての所望のサンプルを採取した後、生検デバイス１０は安全な態様でその全体が廃棄されることが推奨される。
【００６４】
[0079]少なくとも１つの実施形態に関して本発明が説明されたが、本発明は、本開示の趣旨および範囲内でさらに変形されてもよいことが当業者には認識されるであろう。したがって、本願は、その全体原理を使用する発明の任意のバリエーション、用途または適応を包含することが意図されている。さらに、本願は、本発明が関連するとともに添付の特許請求の範囲の限定内にある当該分野における既知または慣習的な実施の範囲内に収まるような本開示からのそのような発展を包含することが意図されている。
【符号の説明】
【００６５】
１０…生検デバイス
１２…ハウジング
１４…トリガ摺動アセンブリ
１６…カニューレアセンブリ
１８…真空源
２０…ハウジング本体
２２…長手方向軸線
２４…近位端部壁
２４−１，２４−２…ハンドルリンク開口
２６…遠位端部壁
２８…上面
３０…内壁
３０−１，３０−２…ピストンリンク開口
３０−３…ピストンラッチ開口
３０−４…カニューレラッチ開口
３２…近位チャンバ
３４…遠位チャンバ
３６…チャンバカバー
３８…摺動スロット
３８−１…第１の摺動スロット縁部
３８−２…第２の摺動スロット縁部
４０…摺動体本体
４０−１，４０−２…チャネル
４０−３…近位端
４０−４…定位置
４０−５…第１の近位位置
４０−６…第２の近位位置
４０−７…最遠位位置
４０−８…押圧構造
４２…付勢スプリング
４４…カニューレ支持ロッド
４４−１…近位端
４５−６…ラッチ頭部
４６…外側カニューレアセンブリ
４８…内側カニューレアセンブリ
５０…端部キャップ本体
５２…外側カニューレ
５２−１…端部
５２−２…貫通先端
５２−３…側壁
５２−４…内腔
５２−５…側面開口
５４…アクチュエータ本体
５４−１…駆動タブ
５４−２…近位ラッチ機構
５４−３…カニューレ取付部
５４−４…近位軸線方向孔
５４−５…レバーアーム
５４−６…ラッチ頭部
５６…カニューレ支持ロッドシール部
５８…切断カニューレ
５８−１…端部
５８−２…遠位切断縁部
５８−３…側壁
５８−４…内側内腔
５８−５…吸引側面ポート
６０…カニューレ駆動スプリング
６２…吸引準備ハンドル機構
６４…ハンドルベース
６４−１…周囲把持頂部
６４−２…定位置
６４−３…最近位位置
６４−４…近位中間位置
６６…ハンドルリンク
６６−１，６８−１…長手方向スロット
７０…真空チャンバハウジング
７０−１…外面
７２…チャンバ開口端
７４…チャンバ端部壁
７６…チャンバ側壁
７６−１…外周
７６−２…容積
７６−３…チャンバ吸引ポート
７６−４…第１のＵ字状壁部
７６−５…第２のＵ字状壁部
７６−６…第１の逆Ｕ字状壁部
７６−７…第２の逆Ｕ字状壁部
７６−８…内面
７８…真空チャンバハウジングシール部
８０…谷部
８２…真空プランジャ機構
８４…ピストン
８４−１…近位面
８４−２…遠位面
８４−３…ピストンラッチ機構
８４−４…レバーアーム
８４−５…ラッチ頭部
８５…チャンバシール部
８６…ピストンリンクロッド
８６−１…近位端
８６−２…孔
８６−３…接合構造
８９…チェックバルブ
９０…付勢スプリング
【図１】
2018153673.tif 000003
【図２】
2018153673.tif 000004
【図３】
2018153673.tif 000005
【図４】
2018153673.tif 000006
【図５】
2018153673.tif 000007
【図６】
2018153673.tif 000008
【図７】
2018153673.tif 000009
【図８】
2018153673.tif 000010
【図９】
2018153673.tif 000011
【図１０】
2018153673.tif 000012
【図１１】
2018153673.tif 000013
【図１２】
2018153673.tif 000014
【図１３】
2018153673.tif 000015
【図１４】
2018153673.tif 000016
【図１５】
2018153673.tif 000017
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
生検デバイスであって、
長手方向軸線を形成するハウジング本体と、
アクチュエータ本体と、該アクチュエータ本体に装着される細長いカニューレと、を有するカニューレアセンブリと
を備え、
前記細長いカニューレは、内腔を形成する側壁と、前記側壁を通って延在するとともに前記内腔と流体連通する吸引側面ポートと、を有し、
前記アクチュエータ本体は、駆動タブと近位ラッチ機構とを有し、
前記近位ラッチ機構は、前記ハウジング本体と選択的に係合して、後退位置において前記カニューレアセンブリを取り外し可能にラッチするように構成され、
前記生検デバイスは、さらに、前記ハウジング本体と前記アクチュエータ本体との間に連結されるカニューレ駆動スプリングを備え、
前記カニューレ駆動スプリングは、前記近位ラッチ機構が前記後退位置まで移動されたときに圧縮されるように構成されるとともに、前記近位ラッチ機構が前記後退位置から解放されたときに、伸張して前記細長いカニューレを遠位方向に押し出すように構成され、
前記生検デバイスは、さらに、前記ハウジング本体に連結されるとともに真空を蓄積するように構成された真空源を備え、
前記真空源は、チャンバ開放端と、チャンバ端部壁と、前記チャンバ開放端と前記チャンバ端部壁との間を延在するチャンバ側壁と、チャンバ吸引ポートと、を有する真空チャンバハウジングを備え、
前記チャンバ側壁は、断面がＵ字状の領域を形成する外周を有し、
前記Ｕ字状の領域は、前記チャンバ開放端と前記チャンバ端部壁との間を長手方向に延在して、Ｕ字状の容積を形成し、
前記生検デバイスは、さらに、カニューレアセンブリの前記駆動タブおよび前記真空源に動作可能に連結される摺動体本体を有するトリガ摺動アセンブリを備える
生検デバイス。
【請求項２】
請求項１に記載の生検デバイスであって、
前記チャンバ側壁の一部分は、長手方向の広がりを有する細長い凹んだ谷部を形成し、
前記細長いカニューレは、前記チャンバ側壁に接触することなく、前記細長い凹んだ谷部内に位置決めされる
生検デバイス。
【請求項３】
請求項１または請求項２２に記載の生検デバイスであって、
前記真空チャンバハウジングの前記Ｕ字状の容積内位置決めされるＵ字状のピストンを有する真空プランジャ機構と、
前記チャンバ側壁の内面と前記Ｕ字状のピストンとの間を密封係合するように構成されたチャンバシール部と
を備える生検デバイス。
【請求項４】
請求項１に記載の生検デバイスであって、
前記チャンバ側壁は、第１のＵ字状壁部と、第２のＵ字状壁部と、第１の逆Ｕ字状壁部と、第２の逆Ｕ字状壁部と、を有し、
前記第２のＵ字状壁部は、前記第１のＵ字状壁部よりも小さく、前記真空チャンバハウジングの外面のところで細長い凹んだ谷部を形成し、
前記チャンバ吸引ポートは、前記凹んだ谷部内に位置決めされ、
前記細長いカニューレは、前記チャンバ側壁に接触することなく、前記細長い凹んだ谷部内に受け入れられ、
前記生検デバイスは、さらに、前記チャンバ吸引ポートと前記細長いカニューレとの間に密封係合状態で介在する真空チャンバハウジングシール部を備える
生検デバイス。
【請求項５】
請求項４に記載の生検デバイスであって、
前記チャンバ吸引ポートは、前記チャンバ側壁の立ち上がった突出部として構成された
生検デバイス。
【請求項６】
請求項４に記載の生検デバイスであって、
前記第２のＵ字状壁部は、前記チャンバ側壁の前記外周をまわる方向において、前記第１の逆Ｕ字状壁部チャンバ側壁と、前記第２の逆Ｕ字状壁部と、の間に位置する
生検デバイス。
【請求項７】
請求項１に記載の生検デバイスであって、
前記摺動体本体は、
前記摺動体本体の第１の近位移動によって、前記カニューレアセンブリが第１の距離だけ後退され、前記後退位置において前記カニューレアセンブリがラッチされ、前記カニューレ駆動スプリングが圧縮され、
前記摺動体本体の第２の近位移動によって、前記カニューレアセンブリが前記第１の距離に累積して第２の距離だけ後退され、前記真空源から前記細長いカニューレの前記第２の内腔まで真空を供給するために前記細長いカニューレの前記吸引側面ポートが前記真空源の前記チャンバ吸引ポートと整合され、
前記摺動体本体の遠位方向の第３の移動によって、前記カニューレ駆動スプリングが伸張して、前記カニューレアセンブリを前記遠位方向に押し出すように、前記近位ラッチ機構が解放される
ように構成される
生検デバイス。
【請求項８】
請求項１に記載の生検デバイスであって、
前記ハウジング本体は、近位端部壁と、遠位端部壁と、上面と、前記近位端部壁と前記遠位端部壁との間に位置する内壁と、を備え、
前記内壁は、前記ハウジング本体を近位チャンバと遠位チャンバとに分離し、
前記近位チャンバは、チャンバカバーを有し、
前記遠位チャンバは、前記真空チャンバハウジングを取り付けるように構成され、
前記内壁は、前記近位ラッチ機構の一部分を取り外し可能に受け入れるために、カニューレラッチ開口を有する
生検デバイス。
【請求項９】
請求項１に記載の生検デバイスであって、
前記ハウジング本体は、細長い摺動スロットを有する上面を備え、
前記細長い摺動スロットは、第１の摺動スロット縁部と、前記長手方向軸線に直交する方向に前記第１の摺動スロット縁部から離間された第２の摺動スロット縁部と、を形成し、
前記摺動体本体は、前記ハウジング本体の前記細長い摺動スロットの前記第１の摺動スロット縁部および前記第２の摺動スロット縁部をそれぞれ受け入れるように構成された一対の対向するチャネルを備え、
前記生検デバイスは、さらに、前記摺動体本体を定位置に付勢するために、前記摺動体本体と前記ハウジング本体との間に接続される付勢スプリングを備える
生検デバイス。
【請求項１０】
請求項１に記載の生検デバイスであって、
前記ハウジング本体は、近位端部壁と、遠位端部壁と、前記近位端部壁と前記遠位端部壁との間に位置する内壁と、を備え、
前記ハウジング本体の前記近位端部壁は、第１の対のハンドルリンク開口を有し、
前記ハウジング本体の前記内壁は、第２の対のリンク開口を有し、
前記生検デバイスは、さらに、ハンドルベースと、該ハンドルベースから延在する一対の細長いハンドルリンクと、を有する吸引準備ハンドル機構を備え、
前記一対の細長いハンドルリンクは、前記近位端部壁の前記第１の対のハンドルリンク開口を通過し、前記近位チャンバを通過し、前記内壁の前記第２の対のリンク開口を通過するように位置決めされ、
前記真空源は、プランジャ機構を有し、
前記プランジャ機構は、
ピストンと、
前記チャンバ側壁の内面と前記ピストンとの間を密封係合させるように構成されたチャンバシール部と、
前記ピストンの近位面から近位方向に延在する一対のピストンリンクロッドと
を備え、
前記一対のピストンリンクロッドの各々は、近位端と、前記一対の細長いハンドルリンクを受け入れるための、前記近位端から遠位方向に延在する孔と、を有し、
前記一対のピストンリンクロッドは、前記ハウジング本体の前記内壁内において、対応する前記一対のピストンリンク開口を通過して前記近位チャンバに入るように構成され、
前記プランジャ機構は、さらに、
前記一対の細長いハンドルリンクのまわりに受け入れられる一対の付勢スプリングであって、該付勢スプリングの各々が、前記ハウジング本体の前記近位端部壁と、前記一対のピストンリンクロッドのそれぞれの近位端と、の間に位置決めされる一対の付勢スプリングと、
前記一対のピストンリンクロッドと前記一対の細長いハンドルリンクとを摺動的に接続するように構成された一対の接合構造と
を備える
生検デバイス。
【請求項１１】
請求項１０に記載の生検デバイスであって、
前記ハウジング本体の前記内壁は、
ピストンラッチ開口を有し、
前記ピストンから延在するピストンラッチ機構を備え、
前記ピストンラッチ機構は、後退位置において前記ピストンを取り外し可能にラッチするために、前記内壁の前記ピストンラッチ開口を通過するように構成された
生検デバイス。
【請求項１２】
生検デバイスであって、
長手方向軸線を形成するハウジング本体と、
アクチュエータ本体と、該アクチュエータ本体に装着される細長いカニューレと、を有するカニューレアセンブリと
を備え、
前記細長いカニューレは、内腔を形成する側壁と、前記側壁を通って延在するとともに前記内腔と流体連通する吸引側面ポートと、を有し、
前記アクチュエータ本体は、駆動タブと、近位ラッチ機構と、を有し、
前記近位ラッチ機構は、後退位置において前記カニューレアセンブリを取り外し可能にラッチするために、前記ハウジング本体と選択的に係合するように構成され、
前記生検出デバイスは、さらに、
前記ハウジング本体と前記アクチュエータ本体との間に連結されるカニューレ駆動スプリングであって、前記近位ラッチ機構が前記後退位置に移動されたときに圧縮されるように構成されるとともに、前記近位ラッチ機構が前記後退位置から解放されたときに伸張して、前記細長いカニューレを遠位方向に押し出すように構成されたカニューレ駆動スプリングと、
前記ハウジング本体に連結される真空源と
を備え、
前記真空源は、
真空を蓄積するように構成され、
チャンバ吸引ポートを有するチャンバ側壁を有する真空チャンバハウジングを備え、
前記生検デバイスは、さらに、前記ハウジング本体に摺動可能に連結されるとともに前記カニューレアセンブリの前記アクチュエータ本体の前記駆動タブに動作可能に連結される摺動体本体を有するトリガ摺動アセンブリを備え、
前記トリガ摺動アセンブリは、
前記摺動体本体の第１の近位移動によって、前記カニューレアセンブリが第１の距離だけ後退され、前記後退位置において前記カニューレアセンブリがラッチされ、前記カニューレ駆動スプリングが圧縮され、
前記摺動体本体の第２の近位移動によって、前記カニューレアセンブリが前記第１の距離に累積して第２の距離だけ後退され、前記真空源から前記細長いカニューレの前記第２の内腔まで真空を供給するために前記細長いカニューレの前記吸引側面ポートが前記真空源の前記チャンバ吸引ポートと整合され、
前記摺動体本体の遠位方向の第３の移動によって、前記カニューレ駆動スプリングが伸張して、前記カニューレアセンブリを前記遠位方向に押し出すように、前記近位ラッチ機構が解放される
ように構成される
生検デバイス。
【請求項１３】
請求項１２に記載の生検デバイスであって、
前記ハウジング本体は、近位端部壁と、遠位端部壁と、上面と、前記近位端部壁と前記遠位端部壁との間に位置する内壁と、を備え、
前記内壁は、前記ハウジング本体を近位チャンバと遠位チャンバとに分離し、
前記近位チャンバは、チャンバカバーを有し、
前記遠位チャンバは、前記真空チャンバハウジングを取り付けるように構成され、
前記内壁は、前記近位ラッチ機構の一部分を取り外し可能に受け入れるためのカニューレラッチ開口を有する
生検デバイス。
【請求項１４】
請求項１２に記載の生検デバイスであって、
前記ハウジング本体は、細長い摺動スロットを有する上面を備え、
前記細長い摺動スロットは、第１の摺動スロット縁部と、前記長手方向軸線と直交する方向に前記第１の摺動スロット縁部から離間された第２の摺動スロット縁部と、を形成し、
前記摺動体本体は、前記ハウジング本体の前記細長い摺動スロットの前記第１の摺動スロット縁部および前記第２の摺動スロット縁部をそれぞれ受け入れるように構成された一対の対向するチャネルを備え、
前記生検デバイスは、さらに、前記摺動体本体と前記ハウジング本体との間に接続され、前記摺動体本体を定位置に付勢する付勢スプリングを備える
生検デバイス。
【請求項１５】
請求項１２に記載の生検デバイスであって、
前記ハウジング本体は、近位端部壁と、遠位端部壁と、前記近位端部壁と前記遠位端部壁との間に位置する内壁と、を備え、
前記ハウジング本体の前記近位端部壁は、第１の対のハンドルリンク開口を有し、
前記ハウジング本体の前記内壁は、第２の対のリンク開口を有し、
前記生検デバイスは、さらに、ハンドルベースと、該ハンドルベースから延在する一対の細長いハンドルリンクと、を有する吸引準備ハンドル機構を備え、
前記一対の細長いハンドルリンクは、前記近位端部壁の前記第１の対のハンドルリンク開口を通過し、前記近位チャンバを通過し、前記内壁の前記第２の対のリンク開口を通過するように位置決めされ、
前記真空源は、プランジャ機構を有し、
前記プランジャ機構は、
ピストンと、
前記チャンバ側壁の内面と前記ピストンとの間を密封係合させるように構成されたチャンバシール部と、
前記ピストンの近位面から近位方向に延在する一対のピストンリンクロッドと
を備え、
前記一対のピストンリンクロッドの各々は、近位端と、該近位端から遠位方向に延在し、前記一対の細長いハンドルリンクを受け入れるように構成された孔と、を有し、
前記一対のピストンリンクロッドは、前記ハウジング本体の前記内壁内において、対応する前記一対のリンク開口を通過して前記近位チャンバに入るように構成され、
前記プランジャ機構は、さらに、
前記一対の細長いハンドルリンクのまわりに受け入れられる一対の付勢スプリングであって、該付勢スプリングの各々が、前記ハウジング本体の前記近位端部壁と、前記一対のピストンリンクロッドのそれぞれの近位端と、の間に位置決めされる一対の付勢スプリングと、
前記一対のピストンリンクロッドと前記一対の細長いハンドルリンクとを摺動的に接続するように構成された一対の接合構造と
を備える
生検デバイス。
【請求項１６】
請求項１５に記載の生検デバイスであって、
前記ハウジング本体の前記内壁は、ピストンラッチ開口を有し、
前記生検デバイスは、前記ピストンから延在するピストンラッチ機構を備え、
前記ピストンラッチ機構は、前記内壁の前記ピストンラッチ開口を通過して、後退位置において前記ピストンを取り外し可能にラッチするように構成された
生検デバイス。
【請求項１７】
請求項１５に記載の生検デバイスであって、
前記真空チャンバハウジングは、チャンバ開口端と、チャンバ端部壁と、を有し、
前記チャンバ側壁は、前記チャンバ開口端と前記チャンバ端部壁との間に介在し、
前記チャンバ側壁は、断面がＵ字状の領域を形成してＵ字状の容積を形成する外周を有し、
前記Ｕ字状の領域は、前記チャンバ開放端と前記チャンバ端部壁との間を長手方向に延在し、
前記チャンバ側壁の一部分は、長手方向の広がりを有する細長い凹んだ谷部を形成し、
前記細長いカニューレは、前記チャンバ側壁に接触することなく、前記細長い凹んだ谷部内に位置決めされる
生検デバイス。
【請求項１８】
請求項１７に記載の生検デバイスであって、
前記真空チャンバハウジングの前記Ｕ字状の容積内に位置決めされるＵ字状のピストンを有する真空プランジャ機構と、
前記チャンバ側壁の内面と前記Ｕ字状のピストンとの間を密封係合させるように構成されたチャンバシール部と
を備える生検デバイス。
【請求項１９】
請求項１２に記載の生検デバイスであって、
前記チャンバ側壁は、第１のＵ字状壁部と、第２のＵ字状壁部と、第１の逆Ｕ字状壁部と、第２の逆Ｕ字状壁部と、を有し、
前記第２のＵ字状壁部は、前記第１のＵ字状壁部よりも小さく、前記真空チャンバハウジングの外面のところに細長い凹んだ谷部を形成し、
前記チャンバ吸引ポートは、前記凹んだ谷部内に位置決めされ、
前記細長いカニューレは、前記チャンバ側壁に接触することなく、前記細長い凹んだ谷部内に受け入れられ、
前記生検デバイスは、さらに、前記チャンバ吸引ポートと前記細長いカニューレとの間に密封係合状態で介在する真空チャンバハウジングシール部を備える
生検デバイス。
【請求項２０】
請求項１９に記載の生検デバイスであって、
前記チャンバ吸引ポートは、前記チャンバ側壁の立ち上がった突出部として構成される
生検デバイス。
【請求項２１】
請求項１９に記載の生検デバイスであって、
前記第２のＵ字状壁部は、前記チャンバ側壁の前記外周をまわる方向において、前記第１の逆Ｕ字状壁部チャンバ側壁と、前記第２の逆Ｕ字状壁部と、の間に位置する
生検デバイス。
【手続補正２】
【補正対象書類名】明細書
【補正対象項目名】００６４
【補正方法】変更
【補正の内容】
【００６４】
[0079]少なくとも１つの実施形態に関して本発明が説明されたが、本発明は、本開示の趣旨および範囲内でさらに変形されてもよいことが当業者には認識されるであろう。したがって、本願は、その全体原理を使用する発明の任意のバリエーション、用途または適応を包含することが意図されている。さらに、本願は、本発明が関連するとともに添付の特許請求の範囲の限定内にある当該分野における既知または慣習的な実施の範囲内に収まるような本開示からのそのような発展を包含することが意図されている。本発明は、以下の形態としても実現可能である。
［形態１］
生検デバイスであって、
長手方向軸線を形成するハウジング本体と、
第１の細長いカニューレと第２の細長いカニューレとを有するカニューレアセンブリと
を備え、
前記第１の細長いカニューレは、第１の側壁を有し、
前記第１の側壁は、第１の内腔と、前記第１の側壁を通って延在する細長い側面開口と、を形成するように構成され、
前記第２の細長いカニューレは、
前記第１の細長いカニューレと同軸であり、
第２の内腔と切断縁部とを形成するように構成された第２の側壁を有し、
前記第２の側壁は、前記第２の内腔と流体連通する吸引側面ポートを有し、
前記生検デバイスは、さらに、前記ハウジング本体内に位置決めされる真空源を備え、
前記真空源は、
チャンバ吸引ポートを有するチャンバ側壁を有し、
前記チャンバ吸引ポートと前記第２の細長いカニューレとの間に密封係合状態で介在するシール部を有し、
前記生検デバイスは、さらに、前記ハウジング本体に連結されるとともに前記カニューレアセンブリに連結されるトリガ摺動アセンブリを備え、
前記トリガ摺動アセンブリは、前記真空源から前記第２の細長いカニューレの前記第２の内腔まで真空を供給するために前記第２の細長いカニューレの前記吸引側面ポートを前記真空源の前記チャンバ吸引ポートと整合させるために、第２の細長いカニューレを移動させるように構成される
生検デバイス。
［形態２］
形態１に記載の生検デバイスであって、
前記真空源は、チャンバ開放端とチャンバ端部壁とチャンバ側壁とを有する真空チャンバハウジングを備え、
前記チャンバ側壁は、断面がＵ字状の領域を形成してＵ字状の容積を形成する外周を有し、
前記Ｕ字状の領域は、前記チャンバ開放端と前記チャンバ端部壁との間を長手方向に延在し、
前記チャンバ側壁の一部分は、長手方向の広がりを有する細長い凹んだ谷部を形成し、
前記第２の細長いカニューレは、前記チャンバ側壁に接触することなく、前記細長い凹んだ谷部内に位置決めされる
生検デバイス。
［形態３］
形態２に記載の生検デバイスであって、
前記真空チャンバハウジングの前記Ｕ字状の容積内に位置決めされるＵ字状のピストンを有する真空プランジャ機構と、
前記チャンバ側壁の内面と前記Ｕ字状のピストンとの間を密封係合させるように構成されたチャンバシール部と
を備える生検デバイス。
［形態４］
形態３に記載の生検デバイスであって、
前記ハウジング本体は、ピストンラッチ開口を有する内壁を備え、
前記真空プランジャ機構は、前記Ｕ字状のピストンの近位面から延在するピストンラッチ機構を備え、
前記ピストンラッチ機構は、前記Ｕ字状のピストンが近位方向に移動されたときに、前記内壁の前記ピストンラッチ開口を通過して、後退位置において前記Ｕ字状のピストンを取り外し可能にラッチするように構成された
生検デバイス。
［形態５］
形態４に記載の生検デバイスであって、
前記ハウジング本体の前記内壁は、一対のリンク開口を有し、
前記Ｕ字状のピストンは、該Ｕ字状のピストンの前記近位面から近位方向に延在する一対のピストンリンクロッドを備え、
前記一対のピストンリンクロッドの各々は、近位端と、該近位端から遠位方向に延在する孔と、を有し、
前記一対のピストンリンクロッドは、前記ハウジング本体の前記内壁内において、対応する前記一対のリンク開口を通過するように構成され、
前記生検デバイスは、さらに、ハンドルベースと、該ハンドルベースから延在する一対の細長いハンドルリンクと、を有する吸引準備ハンドル機構を備え、
前記細長いハンドルリンクの各々は、長手方向スロットを有し、
前記一対の細長いハンドルリンクは、前記一対のピストンリンクロッドの前記孔内に摺動的に受け入れられ、
前記生検デバイスは、さらに、前記一対のピストンリンクロッドを前記一対の細長いハンドルリンクと摺動係合状態で接続するように構成された一対の接合構造を備える
生検デバイス。
［形態６］
形態１に記載の生検デバイスであって、
前記真空源は、チャンバ開放端とチャンバ端部壁とチャンバ側壁とを有する真空チャンバハウジングを備え、
前記チャンバ側壁は、長手方向の広がりを有する細長い凹んだ谷部を形成する外周を有し、
前記第２の細長いカニューレは、前記チャンバ側壁に接触することなく前記細長い凹んだ谷部内に位置決めされる
生検デバイス。
［形態７］
形態６に記載の生検デバイスであって、
前記チャンバ吸引ポートは、前記細長い凹んだ谷部内から前記第２の細長いカニューレに向かう方向に、前記チャンバ側壁から外側に向けて延在する
生検デバイス。
［形態８］
形態１ないし形態７のいずれか一項に記載の生検デバイスであって、
前記第２の細長いカニューレは、前記第１の細長いカニューレの前記第１の内腔内に位置決めされ、
前記第１の細長いカニューレは、前記ハウジング本体に対して位置が固定されており、
前記第２の細長いカニューレは、前記第１の内腔内で、前記ハウジング本体に対して移動可能であり、
前記第２の細長いカニューレの前記第２の内腔は、前記第１の細長いカニューレの前記第１の内腔と流体連通する
生検デバイス。
［形態９］
形態１ないし形態７のいずれか一項に記載の生検デバイスであって、
前記ハウジング本体に装着されるカニューレ支持ロッドを備え、
前記カニューレ支持ロッドは、前記第１の細長いカニューレおよび前記第２の細長いカニューレと同軸であり、
前記カニューレ支持ロッドは、前記第２の細長いカニューレの前記第２の内腔内に受け入れられる
生検デバイス。
［形態１０］
生検デバイスであって、
長手方向軸線を形成するハウジング本体と、
前記長手方向軸線に沿って延在する第１の細長いカニューレを有する第１のカニューレアセンブリと
を備え、
前記第１の細長いカニューレは、第１の側壁を有し、
前記第１の側壁は、
第１の内腔を形成するように構成され、
前記第１の側壁を通って延在する細長い側面開口を有し、
前記生検デバイスは、さらに、前記第１の細長いカニューレの前記第１の内腔内に摺動的に受け入れられる第２の細長いカニューレに連結される第２のカニューレ本体を有する第２のカニューレアセンブリを備え、
前記第２のカニューレ本体は、駆動タブと、後退位置において前記第２の細長いカニューレを取り外し可能にラッチするように構成された近位ラッチ機構と、を有し、
前記第２の細長いカニューレは、
第２の内腔を有する第２の側壁を有し、
前記第２の側壁を通って延在し、前記第２の内腔に流体連通する吸引側面ポートを有し、
前記生検デバイスは、さらに、
前記近位ラッチ機構が前記後退位置に移動されたときに圧縮されるように構成されるとともに、前記近位ラッチ機構が前記後退位置から解放されたときに伸張して、前記第２のカニューレアセンブリを遠位方向に押し出すように構成されるカニューレ駆動スプリングと、
前記ハウジング本体内に位置決めされる真空源と
を備え、
前記真空源は、
真空を蓄積するように構成され、
容積を形成するとともにチャンバ吸引ポートを有するチャンバ側壁と、前記チャンバ吸引ポートと前記第２の細長いカニューレとの間に密封係合状態で介在するシール部と、を備え、
前記生検デバイスは、さらに、前記ハウジング本体に連結されるとともに前記第２のカニューレ本体の前記駆動タブに連結される摺動体本体を有するトリガ摺動アセンブリを備え、
前記トリガ摺動アセンブリは、
近位方向への前記摺動体本体の第１の近位移動によって、前記第２のカニューレアセンブリが第１の距離だけ後退され、前記後退位置において前記第２のカニューレアセンブリの前記近位ラッチ機構がラッチされ、前記カニューレ駆動スプリングが圧縮され、
前記近位方向への前記摺動体本体の第２の近位移動によって、前記第２のカニューレアセンブリが前記第１の距離に累積して第２の距離だけ後退され、前記真空源から前記第２の細長いカニューレの前記第２の内腔まで真空を供給するために前記第２の細長いカニューレの前記吸引側面ポートが前記真空源の前記チャンバ吸引ポートと径方向に整合され、
前記摺動体本体の第３の移動によって、前記カニューレ駆動スプリングが伸張して、前記第２のカニューレアセンブリの前記第２の細長いカニューレを前記遠位方向に押し出すように、前記近位ラッチ機構が解放される
ように構成される
生検デバイス。
［形態１１］
形態１０に記載の生検デバイスであって、
前記摺動体本体の前記第３の移動は、前記近位方向と反対の前記遠位方向である
生検デバイス。
［形態１２］
形態１０または形態１１に記載の生検デバイスであって、
前記チャンバ側壁は、Ｕ字状の容積を形成し、
前記チャンバ側壁の一部分は、長手方向の広がりを有する細長い凹んだ谷部を形成し、
前記第２の細長いカニューレは、前記チャンバ側壁に接触することなく、前記チャンバ側壁の外部で前記細長い凹んだ谷部内に位置決めされる
生検デバイス。
［形態１３］
形態１０または形態１１に記載の生検デバイスであって、
前記真空源の前記チャンバ側壁は、断面がＵ字状の領域を形成する外周を有し、
前記Ｕ字状の領域は、長手方向に延在してＵ字状の容積を形成し、
前記生検デバイスは、前記Ｕ字状の容積内に位置決めされるＵ字状のピストンを有する真空プランジャ機構と、前記チャンバ側壁の内面と前記Ｕ字状のピストンとの間を密封係合するように構成されたチャンバシール部と、を備える
生検デバイス。
［形態１４］
形態１３に記載の生検デバイスであって、
前記ハウジング本体は、ピストンラッチ開口を有する内壁を備え、
前記真空プランジャ機構は、前記Ｕ字状のピストンの近位面から延在するピストンラッチ機構を備え、
前記ピストンラッチ機構は、前記Ｕ字状のピストンが後退位置まで前記近位方向に移動されたときに、前記内壁の前記ピストンラッチ開口を通過し、前記後退位置において前記Ｕ字状のピストンを取り外し可能にラッチするように構成された
生検デバイス。
［形態１５］
形態１４に記載の生検デバイスであって、
前記Ｕ字状のピストンの前記近位面から近位方向に延在する一対のピストンリンクロッドであって、該一対のピストンリンクロッドの各々が近位端と、該近位端から遠位方向に延在する孔と、を有する一対のピストンリンクロッドと、
ハンドルベースと、該ハンドルベースから延在する一対の細長いハンドルリンクと、を有する吸引準備ハンドル機構と、
前記一対のピストンリンクロッドを前記一対の細長いハンドルリンクに摺動係合状態で接続するように構成された一対の接合構造と
を備える生検デバイス。
［形態１６］
形態１０または形態１１に記載の生検デバイスであって、
前記チャンバ側壁は、長手方向の広がりを有する細長い凹んだ谷部を形成する外周を有し、
前記第２の細長いカニューレは、前記チャンバ側壁に接触することなく、前記チャンバ側壁の外部で前記細長い凹んだ谷部内に位置決めされる
生検デバイス。
［形態１７］
形態１６に記載の生検デバイスであって、
前記チャンバ吸引ポートは、前記細長い凹んだ谷部内から前記第２の細長いカニューレに向かう方向に、前記チャンバ側壁から外側に向けて延在する
生検デバイス。
［形態１８］
形態１７に記載の生検デバイスであって、
前記第１の細長いカニューレは、前記ハウジング本体に対して位置が固定されており、
前記第２の細長いカニューレは、前記第１の内腔内で、前記ハウジング本体に対して移動可能であり、
前記第２の細長いカニューレの前記第２の内腔は、前記第１の細長いカニューレの前記細長い側面開口と流体連通する
生検デバイス。
［形態１９］
形態１０または形態１１に記載の生検デバイスであって、
前記ハウジング本体に装着されるカニューレ支持ロッドを備え、
前記カニューレ支持ロッドは、前記第１の細長いカニューレおよび前記第２の細長いカニューレと同軸であり、
前記カニューレ支持ロッドは、前記第２の細長いカニューレの前記第２の内腔内に受け入れられる
生検デバイス。
［形態２０］
形態１０または形態１１に記載の生検デバイスであって、
前記チャンバ側壁は、断面がＵ字状の領域を形成する外周を有し、
前記チャンバ側壁は、チャンバ開放端と、前記真空源のチャンバ端部壁と、の間を長手方向に延在して、Ｕ字状の容積を形成する
生検デバイス。
［形態２１］
生検デバイスであって、
長手方向軸線を形成するハウジング本体と、
アクチュエータ本体と、該アクチュエータ本体に装着される細長いカニューレと、を有するカニューレアセンブリと
を備え、
前記細長いカニューレは、内腔を形成する側壁と、前記側壁を通って延在するとともに前記内腔と流体連通する吸引側面ポートと、を有し、
前記アクチュエータ本体は、駆動タブと近位ラッチ機構とを有し、
前記近位ラッチ機構は、前記ハウジング本体と選択的に係合して、後退位置において前記カニューレアセンブリを取り外し可能にラッチするように構成され、
前記生検デバイスは、さらに、前記ハウジング本体と前記アクチュエータ本体との間に連結されるカニューレ駆動スプリングを備え、
前記カニューレ駆動スプリングは、前記近位ラッチ機構が前記後退位置まで移動されたときに圧縮されるように構成されるとともに、前記近位ラッチ機構が前記後退位置から解放されたときに、伸張して前記細長いカニューレを遠位方向に押し出すように構成され、
前記生検デバイスは、さらに、前記ハウジング本体に連結されるとともに真空を蓄積するように構成された真空源を備え、
前記真空源は、チャンバ開放端と、チャンバ端部壁と、前記チャンバ開放端と前記チャンバ端部壁との間を延在するチャンバ側壁と、チャンバ吸引ポートと、を有する真空チャンバハウジングを備え、
前記チャンバ側壁は、断面がＵ字状の領域を形成する外周を有し、
前記Ｕ字状の領域は、前記チャンバ開放端と前記チャンバ端部壁との間を長手方向に延在して、Ｕ字状の容積を形成し、
前記生検デバイスは、さらに、カニューレアセンブリの前記駆動タブおよび前記真空源に動作可能に連結される摺動体本体を有するトリガ摺動アセンブリを備える
生検デバイス。
［形態２２］
形態２１に記載の生検デバイスであって、
前記チャンバ側壁の一部分は、長手方向の広がりを有する細長い凹んだ谷部を形成し、
前記細長いカニューレは、前記チャンバ側壁に接触することなく、前記細長い凹んだ谷部内に位置決めされる
生検デバイス。
［形態２３］
形態２１または形態２２に記載の生検デバイスであって、
前記真空チャンバハウジングの前記Ｕ字状の容積内位置決めされるＵ字状のピストンを有する真空プランジャ機構と、
前記チャンバ側壁の内面と前記Ｕ字状のピストンとの間を密封係合するように構成されたチャンバシール部と
を備える生検デバイス。
［形態２４］
形態２１に記載の生検デバイスであって、
前記チャンバ側壁は、第１のＵ字状壁部と、第２のＵ字状壁部と、第１の逆Ｕ字状壁部と、第２の逆Ｕ字状壁部と、を有し、
前記第２のＵ字状壁部は、前記第１のＵ字状壁部よりも小さく、前記真空チャンバハウジングの外面のところで細長い凹んだ谷部を形成し、
前記チャンバ吸引ポートは、前記凹んだ谷部内に位置決めされ、
前記細長いカニューレは、前記チャンバ側壁に接触することなく、前記細長い凹んだ谷部内に受け入れられ、
前記生検デバイスは、さらに、前記チャンバ吸引ポートと前記細長いカニューレとの間に密封係合状態で介在する真空チャンバハウジングシール部を備える
生検デバイス。
［形態２５］
形態２１、形態２２および形態２４のいずれか一項に記載の生検デバイスであって、
前記チャンバ吸引ポートは、前記チャンバ側壁の立ち上がった突出部として構成された
生検デバイス。
［形態２６］
形態２４に記載の生検デバイスであって、
前記第２のＵ字状壁部は、前記チャンバ側壁の前記外周をまわる方向において、前記第１の逆Ｕ字状壁部チャンバ側壁と、前記第２の逆Ｕ字状壁部と、の間に位置する
生検デバイス。
［形態２７］
形態２１、形態２２、形態２４および形態２６のいずれか一項に記載の生検デバイスであって、
前記摺動体本体は、
前記摺動体本体の第１の近位移動によって、前記カニューレアセンブリが第１の距離だけ後退され、前記後退位置において前記カニューレアセンブリがラッチされ、前記カニューレ駆動スプリングが圧縮され、
前記摺動体本体の第２の近位移動によって、前記カニューレアセンブリが前記第１の距離に累積して第２の距離だけ後退され、前記真空源から前記細長いカニューレの前記第２の内腔まで真空を供給するために前記細長いカニューレの前記吸引側面ポートが前記真空源の前記チャンバ吸引ポートと整合され、
前記摺動体本体の遠位方向の第３の移動によって、前記カニューレ駆動スプリングが伸張して、前記カニューレアセンブリを前記遠位方向に押し出すように、前記近位ラッチ機構が解放される
ように構成される
生検デバイス。
［形態２８］
形態２１または形態２２に記載の生検デバイスであって、
前記ハウジング本体は、近位端部壁と、遠位端部壁と、上面と、前記近位端部壁と前記遠位端部壁との間に位置する内壁と、を備え、
前記内壁は、前記ハウジング本体を近位チャンバと遠位チャンバとに分離し、
前記近位チャンバは、チャンバカバーを有し、
前記遠位チャンバは、前記真空チャンバハウジングを取り付けるように構成され、
前記内壁は、前記近位ラッチ機構の一部分を取り外し可能に受け入れるために、カニューレラッチ開口を有する
生検デバイス。
［形態２９］
形態２１、形態２２、形態２４および形態２６のいずれか一項に記載の生検デバイスであって、
前記ハウジング本体は、細長い摺動スロットを有する上面を備え、
前記細長い摺動スロットは、第１の摺動スロット縁部と、前記長手方向軸線に直交する方向に前記第１の摺動スロット縁部から離間された第２の摺動スロット縁部と、を形成し、
前記摺動体本体は、前記ハウジング本体の前記細長い摺動スロットの前記第１の摺動スロット縁部および前記第２の摺動スロット縁部をそれぞれ受け入れるように構成された一対の対向するチャネルを備え、
前記生検デバイスは、さらに、前記摺動体本体を定位置に付勢するために、前記摺動体本体と前記ハウジング本体との間に接続される付勢スプリングを備える
生検デバイス。
［形態３０］
形態２１、形態２２、形態２４および形態２６のいずれか一項に記載の生検デバイスであって、
前記ハウジング本体は、近位端部壁と、遠位端部壁と、前記近位端部壁と前記遠位端部壁との間に位置する内壁と、を備え、
前記ハウジング本体の前記近位端部壁は、第１の対のハンドルリンク開口を有し、
前記ハウジング本体の前記内壁は、第２の対のリンク開口を有し、
前記生検デバイスは、さらに、ハンドルベースと、該ハンドルベースから延在する一対の細長いハンドルリンクと、を有する吸引準備ハンドル機構を備え、
前記一対の細長いハンドルリンクは、前記近位端部壁の前記第１の対のハンドルリンク開口を通過し、前記近位チャンバを通過し、前記内壁の前記第２の対のリンク開口を通過するように位置決めされ、
前記真空源は、プランジャ機構を有し、
前記プランジャ機構は、
ピストンと、
前記チャンバ側壁の内面と前記ピストンとの間を密封係合させるように構成されたチャンバシール部と、
前記ピストンの近位面から近位方向に延在する一対のピストンリンクロッドと
を備え、
前記一対のピストンリンクロッドの各々は、近位端と、前記一対の細長いハンドルリンクを受け入れるための、前記近位端から遠位方向に延在する孔と、を有し、
前記一対のピストンリンクロッドは、前記ハウジング本体の前記内壁内において、対応する前記一対のピストンリンク開口を通過して前記近位チャンバに入るように構成され、
前記プランジャ機構は、さらに、
前記一対の細長いハンドルリンクのまわりに受け入れられる一対の付勢スプリングであって、該付勢スプリングの各々が、前記ハウジング本体の前記近位端部壁と、前記一対のピストンリンクロッドのそれぞれの近位端と、の間に位置決めされる一対の付勢スプリングと、
前記一対のピストンリンクロッドと前記一対の細長いハンドルリンクとを摺動的に接続するように構成された一対の接合構造と
を備える
生検デバイス。
［形態３１］
形態３０に記載の生検デバイスであって、
前記ハウジング本体の前記内壁は、
ピストンラッチ開口を有し、
前記ピストンから延在するピストンラッチ機構を備え、
前記ピストンラッチ機構は、後退位置において前記ピストンを取り外し可能にラッチするために、前記内壁の前記ピストンラッチ開口を通過するように構成された
生検デバイス。
［形態３２］
生検デバイスであって、
長手方向軸線を形成するハウジング本体と、
アクチュエータ本体と、該アクチュエータ本体に装着される細長いカニューレと、を有するカニューレアセンブリと
を備え、
前記細長いカニューレは、内腔を形成する側壁と、前記側壁を通って延在するとともに前記内腔と流体連通する吸引側面ポートと、を有し、
前記アクチュエータ本体は、駆動タブと、近位ラッチ機構と、を有し、
前記近位ラッチ機構は、後退位置において前記カニューレアセンブリを取り外し可能にラッチするために、前記ハウジング本体と選択的に係合するように構成され、
前記生検出デバイスは、さらに、
前記ハウジング本体と前記アクチュエータ本体との間に連結されるカニューレ駆動スプリングであって、前記近位ラッチ機構が前記後退位置に移動されたときに圧縮されるように構成されるとともに、前記近位ラッチ機構が前記後退位置から解放されたときに伸張して、前記細長いカニューレを遠位方向に押し出すように構成されたカニューレ駆動スプリングと、
前記ハウジング本体に連結される真空源と
を備え、
前記真空源は、
真空を蓄積するように構成され、
チャンバ吸引ポートを有するチャンバ側壁を有する真空チャンバハウジングを備え、
前記生検デバイスは、さらに、前記ハウジング本体に摺動可能に連結されるとともに前記カニューレアセンブリの前記アクチュエータ本体の前記駆動タブに動作可能に連結される摺動体本体を有するトリガ摺動アセンブリを備え、
前記トリガ摺動アセンブリは、
前記摺動体本体の第１の近位移動によって、前記カニューレアセンブリが第１の距離だけ後退され、前記後退位置において前記カニューレアセンブリがラッチされ、前記カニューレ駆動スプリングが圧縮され、
前記摺動体本体の第２の近位移動によって、前記カニューレアセンブリが前記第１の距離に累積して第２の距離だけ後退され、前記真空源から前記細長いカニューレの前記第２の内腔まで真空を供給するために前記細長いカニューレの前記吸引側面ポートが前記真空源の前記チャンバ吸引ポートと整合され、
前記摺動体本体の遠位方向の第３の移動によって、前記カニューレ駆動スプリングが伸張して、前記カニューレアセンブリを前記遠位方向に押し出すように、前記近位ラッチ機構が解放される
ように構成される
生検デバイス。
［形態３３］
形態３２に記載の生検デバイスであって、
前記ハウジング本体は、近位端部壁と、遠位端部壁と、上面と、前記近位端部壁と前記遠位端部壁との間に位置する内壁と、を備え、
前記内壁は、前記ハウジング本体を近位チャンバと遠位チャンバとに分離し、
前記近位チャンバは、チャンバカバーを有し、
前記遠位チャンバは、前記真空チャンバハウジングを取り付けるように構成され、
前記内壁は、前記近位ラッチ機構の一部分を取り外し可能に受け入れるためのカニューレラッチ開口を有する
生検デバイス。
［形態３４］
形態３２または形態３３に記載の生検デバイスであって、
前記ハウジング本体は、細長い摺動スロットを有する上面を備え、
前記細長い摺動スロットは、第１の摺動スロット縁部と、前記長手方向軸線と直交する方向に前記第１の摺動スロット縁部から離間された第２の摺動スロット縁部と、を形成し、
前記摺動体本体は、前記ハウジング本体の前記細長い摺動スロットの前記第１の摺動スロット縁部および前記第２の摺動スロット縁部をそれぞれ受け入れるように構成された一対の対向するチャネルを備え、
前記生検デバイスは、さらに、前記摺動体本体と前記ハウジング本体との間に接続され、前記摺動体本体を定位置に付勢する付勢スプリングを備える
生検デバイス。
［形態３５］
形態３２に記載の生検デバイスであって、
前記ハウジング本体は、近位端部壁と、遠位端部壁と、前記近位端部壁と前記遠位端部壁との間に位置する内壁と、を備え、
前記ハウジング本体の前記近位端部壁は、第１の対のハンドルリンク開口を有し、
前記ハウジング本体の前記内壁は、第２の対のリンク開口を有し、
前記生検デバイスは、さらに、ハンドルベースと、該ハンドルベースから延在する一対の細長いハンドルリンクと、を有する吸引準備ハンドル機構を備え、
前記一対の細長いハンドルリンクは、前記近位端部壁の前記第１の対のハンドルリンク開口を通過し、前記近位チャンバを通過し、前記内壁の前記第２の対のリンク開口を通過するように位置決めされ、
前記真空源は、プランジャ機構を有し、
前記プランジャ機構は、
ピストンと、
前記チャンバ側壁の内面と前記ピストンとの間を密封係合させるように構成されたチャンバシール部と、
前記ピストンの近位面から近位方向に延在する一対のピストンリンクロッドと
を備え、
前記一対のピストンリンクロッドの各々は、近位端と、該近位端から遠位方向に延在し、前記一対の細長いハンドルリンクを受け入れるように構成された孔と、を有し、
前記一対のピストンリンクロッドは、前記ハウジング本体の前記内壁内において、対応する前記一対のリンク開口を通過して前記近位チャンバに入るように構成され、
前記プランジャ機構は、さらに、
前記一対の細長いハンドルリンクのまわりに受け入れられる一対の付勢スプリングであって、該付勢スプリングの各々が、前記ハウジング本体の前記近位端部壁と、前記一対のピストンリンクロッドのそれぞれの近位端と、の間に位置決めされる一対の付勢スプリングと、
前記一対のピストンリンクロッドと前記一対の細長いハンドルリンクとを摺動的に接続するように構成された一対の接合構造と
を備える
生検デバイス。
［形態３６］
形態３３または形態３５に記載の生検デバイスであって、
前記ハウジング本体の前記内壁は、ピストンラッチ開口を有し、
前記生検デバイスは、前記ピストンから延在するピストンラッチ機構を備え、
前記ピストンラッチ機構は、前記内壁の前記ピストンラッチ開口を通過して、後退位置において前記ピストンを取り外し可能にラッチするように構成された
生検デバイス。
［形態３７］
形態３２、形態３３または形態３５に記載の生検デバイスであって、
前記真空チャンバハウジングは、チャンバ開口端と、チャンバ端部壁と、を有し、
前記チャンバ側壁は、前記チャンバ開口端と前記チャンバ端部壁との間に介在し、
前記チャンバ側壁は、断面がＵ字状の領域を形成してＵ字状の容積を形成する外周を有し、
前記Ｕ字状の領域は、前記チャンバ開放端と前記チャンバ端部壁との間を長手方向に延在し、
前記チャンバ側壁の一部分は、長手方向の広がりを有する細長い凹んだ谷部を形成し、
前記細長いカニューレは、前記チャンバ側壁に接触することなく、前記細長い凹んだ谷部内に位置決めされる
生検デバイス。
［形態３８］
形態３７に記載の生検デバイスであって、
前記真空チャンバハウジングの前記Ｕ字状の容積内に位置決めされるＵ字状のピストンを有する真空プランジャ機構と、
前記チャンバ側壁の内面と前記Ｕ字状のピストンとの間を密封係合させるように構成されたチャンバシール部と
を備える生検デバイス。
［形態３９］
形態３２、形態３３または形態３５に記載の生検デバイスであって、
前記チャンバ側壁は、第１のＵ字状壁部と、第２のＵ字状壁部と、第１の逆Ｕ字状壁部と、第２の逆Ｕ字状壁部と、を有し、
前記第２のＵ字状壁部は、前記第１のＵ字状壁部よりも小さく、前記真空チャンバハウジングの外面のところに細長い凹んだ谷部を形成し、
前記チャンバ吸引ポートは、前記凹んだ谷部内に位置決めされ、
前記細長いカニューレは、前記チャンバ側壁に接触することなく、前記細長い凹んだ谷部内に受け入れられ、
前記生検デバイスは、さらに、前記チャンバ吸引ポートと前記細長いカニューレとの間に密封係合状態で介在する真空チャンバハウジングシール部を備える
生検デバイス。
［形態４０］
形態３９に記載の生検デバイスであって、
前記チャンバ吸引ポートは、前記チャンバ側壁の立ち上がった突出部として構成される
生検デバイス。
［形態４１］
形態３９に記載の生検デバイスであって、
前記第２のＵ字状壁部は、前記チャンバ側壁の前記外周をまわる方向において、前記第１の逆Ｕ字状壁部チャンバ側壁と、前記第２の逆Ｕ字状壁部と、の間に位置する
生検デバイス。